(57)【特許請求の範囲】
【請求項１】
単一キャリア基地局と複数キャリア基地局間の遠隔局ハンドオフを容易にする方法であって、
遠隔局が、単一キャリアプロトコルに従って第１の周波数帯域における信号を受信していることを基地局コントローラによって決定する工程と、
前記遠隔局が、前記単一キャリアプロトコルに従って第２の周波数帯域における信号を送信していることを前記基地局コントローラによって決定する工程であって、前記第２周波数帯域は、前記第１周波数帯域と同じ帯域幅をもつ工程と、
前記遠隔局からの第１のメッセージに含まれる種々の基地局の信号強度測定値を前記基地局コントローラによって受信する工程と、
前記受信した信号強度測定値に基づいて、前記種々の基地局の少なくとも１つは、単一キャリアに準拠しており、前記種々の基地局の少なくとも１つは、複数キャリアに準拠していることを前記基地局コントローラによって決定する工程と、
前記遠隔局は、前記第１の周波数帯域よりも大きい帯域幅をもつ第３の周波数帯域における複数キャリアプロトコルに従って信号の受信を開始すべきであることを示す第２のメッセージを、前記基地局コントローラによって前記遠隔局に送信する工程と、
を具備する方法。
【請求項２】
前記第１の周波数帯域は前記第３の周波数帯域内に含まれる請求項１に記載の方法。
【請求項３】
前記第２のメッセージは、前記遠隔局が前記第２の周波数帯域における前記単一キャリアプロトコルに従って信号の送信を開始すべきであることを示す請求項２に記載の方法。
【請求項４】
複数キャリアに準拠する前記種々の基地局の少なくとも１つから、前記第２の周波数帯域における前記単一キャリアプロトコルに従って前記遠隔局によって送信される信号のために前記第２の周波数帯域を前記基地局コントローラによって監視する工程と、
複数キャリアに準拠する前記種々の基地局の少なくとも１つから、複数キャリア変調方法に従った信号を、前記第３の周波数帯域における前記遠隔局に前記基地局コントローラによって送信する工程と、
をさらに具備する請求項３に記載の方法。
【請求項５】
単一キャリアに準拠する前記種々の基地局の少なくとも１つから、前記単一キャリアプロトコルに従って少なくとも１つの電力制御信号を前記第１の周波数帯域における前記遠隔局へ前記基地局コントローラによって送信する工程をさらに具備する請求項４に記載の方法。
【請求項６】
複数キャリアに準拠する前記種々の基地局の少なくとも１つから、前記第２の周波数帯域における前記単一キャリアプロトコルに従って送信される信号のために、前記第２の周波数帯域を前記基地局コントローラによって監視する工程をさらに具備する請求項５に記載の方法。
【請求項７】
単一キャリアに準拠する前記種々の基地局の少なくとも１つから、前記複数キャリア変調方法に従って、前記基地局コントローラによって複数の信号を生成する工程と、
前記複数の信号の各々の一部を前記第１の周波数帯域における前記遠隔局に前記基地局コントローラによって送信する工程と、
をさらに具備する請求項６記載の方法。
【請求項８】
前記第２のメッセージはさらに、前記遠隔局は第４の周波数帯域における前記単一キャリアプロトコルに従って信号の送信を開始すべきであることを示し、前記第４の周波数帯域は、前記第２の周波数帯域と同じ帯域幅をもち、前記第４の周波数帯域のスペクトルは前記第２の周波数帯域のスペクトルと重複しない請求項２に記載の方法。
【請求項９】
複数キャリアに準拠する前記種々の基地局の少なくとも１つから、複数キャリア変調方法に従った信号を、前記第３の周波数帯域における前記遠隔局に前記基地局コントローラによって送信する工程と、
複数キャリアに準拠する前記種々の基地局の少なくとも１つから、前記第４の周波数帯域における前記単一キャリアプロトコルに従って前記遠隔局によって送信された信号のために、前記第４の周波数帯域を前記基地局コントローラによって監視する工程と、
をさらに具備する請求項８に記載の方法。
【請求項１０】
単一キャリアに準拠する前記種々の基地局の少なくとも１つから、前記第４の周波数帯域における前記単一キャリアプロトコルに従った前記遠隔局によって送信された信号のために、前記第４の周波数帯域を前記基地局コントローラによって監視する工程と、
単一キャリアに準拠する前記種々の基地局の少なくとも１つから、前記第２の周波数帯域における前記単一キャリアプロトコルに従って他の遠隔局によって送信された信号のために、前記第２の周波数帯域を前記基地局コントローラによって監視する工程と、
をさらに具備する請求項９に記載の方法。
【請求項１１】
単一キャリアに準拠する前記種々の基地局の少なくとも１つから、前記複数キャリア変調方法に従って、前記基地局コントローラによって複数の信号を生成する工程と、
前記複数の信号の各々の一部を前記基地局コントローラによって前記第１の周波数帯域における前記遠隔局に送信する工程と、
をさらに具備する請求項１０に記載の方法。
【請求項１２】
単一キャリアに準拠する前記種々の基地局の少なくとも１つから、前記複数キャリア変調方法に従って、前記基地局コントローラによって複数の信号を生成する工程と、
前記複数の信号の各々の一部を前記基地局コントローラによって前記第１の周波数帯域における前記遠隔局に送信する工程と、
をさらに具備する請求項９に記載の方法。
【請求項１３】
単一キャリア基地局と複数キャリア基地局間の遠隔局ハンドオフを容易にする方法であって、
遠隔局が、単一キャリアプロトコルに従って第１の周波数帯域における信号を受信することを基地局コントローラによって決定する工程と、
前記遠隔局が、前記単一キャリアプロトコルに従って第２の周波数帯域における信号を送信していることを前記基地局コントローラによって決定する工程と、
前記遠隔局からの第１のメッセージに含まれる種々の基地局の信号強度測定値を前記基地局コントローラによって受信する工程と、
前記受信した信号強度値に基づいて、前記種々の基地局の少なくとも１つは、単一キャリアに準拠しており、前記種々の基地局の少なくとも１つは、複数キャリアに準拠していることを前記基地局コントローラによって決定する工程と、
前記遠隔局は、前記第１の周波数帯域よりも大きい帯域幅を持つ第３の周波数帯域における複数キャリアプロトコルに従ってメッセージの受信を開始すべきであることを示す第２のメッセージを、前記基地局コントローラによって前記遠隔局に送信する工程であって、前記第２のメッセージはまた、前記遠隔局は、前記第１の周波数帯域よりも大きい第４の周波数帯域に関して前記複数キャリアプロトコルに従ってメッセージ帯域の送信を開始すべきであることを示す工程と、
を具備する方法。
【請求項１４】
前記第１の周波数帯域は前記第３の周波数帯域内に含まれており、前記第２の周波数帯域は、前記第４の周波数帯域内に含まれている請求項１３記載の方法。
【請求項１５】
複数キャリアに準拠する前記種々の基地局の少なくとも１つから、前記第２の周波数帯域における前記複数キャリアプロトコルに従って送信された信号のために、前記第４の周波数帯域を前記基地局コントローラによって監視する工程と、
複数キャリアに準拠する前記種々の基地局の少なくとも１つから、複数キャリア変調方法に従った信号を前記基地局コントローラによって前記第３の周波数帯域における前記遠隔局へ送信する工程と、
をさらに具備する請求項１４記載の方法。
【請求項１６】
単一キャリア基地局と複数キャリア基地局間の遠隔局ハンドオフを容易にする方法であって、
遠隔局が、単一キャリアプロトコルに従って第１の周波数帯域における信号を受信することを基地局コントローラによって決定する工程と、
前記遠隔局が、前記単一キャリアプロトコルに従って第２の周波数帯域における信号を送信していることを前記基地局コントローラによって決定する工程であって、前記第２の周波数帯域は前記第１の周波数帯域と同じ帯域幅を持つ工程と、
前記遠隔局からの第１のメッセージに含まれる種々の基地局の信号強度測定値を前記基地局コントローラによって受信する工程と、
前記受信した信号強度測定値に基づいて、前記種々の基地局の少なくとも１つは、単一キャリアに準拠しており、前記種々の基地局の少なくとも１つは、複数キャリアに準拠していることを前記基地局コントローラによって決定する工程と、
前記遠隔局は、前記第１の周波数帯域において複数キャリアに準拠する前記種々の基地局の少なくとも１つから前記単一キャリアプロトコルに従ってメッセージの受信を開始すべきであることを示す第２のメッセージを、前記基地局コントローラによって前記遠隔局に送信する工程と、
複数キャリアに準拠する前記種々の基地局の少なくとも１つから、前記単一キャリアプロトコルに従って前記第１の周波数帯域における信号を前記遠隔局へ送信する工程と、
複数キャリアに準拠する前記種々の基地局の少なくとも１つから、前記第２の周波数帯域における前記単一キャリアプロトコルに従って送信された信号のために、前記第２の周波数帯域を前記基地局コントローラによって監視する工程と、を具備する方法。
【請求項１７】
単一キャリア基地局と複数キャリア基地局間の遠隔局ハンドオフを容易にするためのネットワークにおける基地局コントローラ装置であって、
前記一組の基地局に送信メッセージを送信するとともに、当該一組の基地局から受信メッセージを受信するためのインタフェースであって、前記受信メッセージはアクティブセットリストメッセージを具備するインタフェースと、
前記アクティブセットリストメッセージを検査するために、前記インタフェースに伝達可能に結合された制御プロセッサとを具備し、
前記制御プロセッサはさらに、前記一組のアクティブセットリストメッセージに従ってフォワードリンクチャネルを第１の遠隔局に対して設定するものであり、前記フォワードリンクチャネルは、前記単一キャリア基地局の１つに関して設定された第１のフォワードリンクチャネルを具備し、前記フォワードリンクチャネルは、前記複数キャリア基地局に関して設定された第２のフォワードリンクチャネルを具備する装置。
【請求項１８】
前記送信メッセージはハンドオフメッセージを具備し、前記制御プロセッサはさらに、前記アクティブセットリストメッセージに従って前記ハンドオフメッセージを生成する請求項１７に記載の装置。
【請求項１９】
単一キャリア基地局と複数キャリア基地局間の遠隔局ハンドオフを容易にするためのネットワークにおける単一キャリア基地局装置であって、
送信器に伝達可能に結合されるとともに、制御プロセッサに伝達可能に結合され、単一キャリアプロトコルまたは複数キャリアプロトコルに従ってデータを変調して、変調されたデータを前記送信器に供給する変調器であって、前記送信器は、単一キャリア周波数帯域における前記変調されたデータを無線で送信する変調器と、
基地局コントローラからの指示を受信するために、前記制御プロセッサに伝達可能に結合されたインタフェースであって、前記制御プロセッサは、前記メッセージを検査して前記メッセージの内容に基づいて複数キャリアプロトコルに従って前記データを変調すべきかあるいは単一キャリアプロトコルに従って前記データを変調すべきかを前記変調器に対して指示するインタフェースと、
を具備する単一キャリア基地局装置。
【請求項２０】
単一キャリア基地局と複数キャリア基地局間の遠隔局ハンドオフを容易にするためのネットワークにおける遠隔局装置であって、
複数キャリアプロトコルに従ってかつ単一キャリアプロトコルに従ってデータを変調するための変調器と、
複数キャリアプロトコルに従ってかつ単一キャリアプロトコルに従ってデータを復調するための復調器と、
受信したハンドオフメッセージの内容に基づいて、データを前記複数キャリアプロトコルに従って変調すべきであるか、あるいは、データを前記単一キャリアプロトコルに従って変調すべきであるかを決定するための制御プロセッサとを具備し、
前記制御プロセッサはさらに、前記受信したハンドオフメッセージの内容に基づいて、データを前記複数キャリアプロトコルに従って復調すべきであるか、あるいは、データを前記単一キャリアプロトコルに従って復調すべきかどうかを決定し、
前記制御プロセッサは、前記複数キャリアプロトコルに従ってデータを変調すべきであるか、あるいは、前記単一キャリアプロトコルに従ってデータを変調すべきであるかを前記複数キャリア変調器に対して指示するために、前記変調器に伝達可能に結合され、
前記制御プロセッサは、前記複数キャリアプロトコルに従ってデータを復調すべきであるか、あるいは、前記単一キャリアプロトコルに従ってデータを復調すべきであるかを前記復調器に対して指示するために、前記復調器に伝達可能に結合されている遠隔局装置。
【請求項２１】
単一キャリア基地局と複数キャリア基地局間の遠隔局ハンドオフを容易にするためのネットワークにおける装置であって、
遠隔局が単一キャリアプロトコルに従って第１の周波数帯域において信号を受信していることを決定するための手段と、
前記遠隔局が前記単一キャリアプロトコルに従って第２の周波数帯域における信号を送信していることを決定するための手段であって、前記第２の周波数帯域は、前記第１の周波数帯域と同じ帯域幅をもつ手段と、
前記遠隔局からの第１のメッセージに含まれる種々の基地局の信号強度測定値を受信するための手段と、
前記受信した信号強度測定値に基づいて、前記種々の基地局の少なくとも１つが単一キャリアに準拠し、前記種々の基地局の少なくとも１つが複数キャリアに準拠することを決定する手段と、
前記遠隔局が、前記第１の周波数帯域よりも大きい帯域幅をもつ第３の周波数帯域における複数キャリアプロトコルに従って信号の受信を開始すべきであることを示す第２のメッセージを前記遠隔局に送信するための手段と、
を具備する装置。
【請求項２２】
単一キャリア基地局と複数キャリア基地局間の遠隔局ハンドオフを容易にするためのネットワークにおける装置であって、
遠隔局が、単一キャリアプロトコルに従って第１の周波数帯域における信号を受信することを決定するための手段と、
前記遠隔局が前記単一キャリアプロトコルに従って第２の周波数帯域における信号を送信していることを決定するための手段であって、前記第２の周波数帯域は前記第１の周波数帯域と同じ帯域幅をもつ手段と、
前記遠隔局からの第１のメッセージに含まれる種々の基地局の信号強度測定値を受信するための手段と、
前記受信した信号強度測定値に基づいて、前記種々の基地局の少なくとも１つは単一キャリアに準拠しており、前記種々の基地局の少なくとも１つは複数キャリアに準拠していることを決定するための手段と、
前記遠隔局が、前記第１の周波数帯域よりも大きい帯域幅をもつ第３の周波数帯域における複数キャリアプロトコルに従ってメッセージの受信を開始すべきであることを示す第２のメッセージを前記遠隔局に対して送信する手段であって、前記第２のメッセージはまた、前記遠隔局が、前記第１の周波数帯域よりも大きい帯域幅をもつ第４の周波数帯域に関する前記複数キャリアプロトコルに従ってメッセージ帯域の送信を開始すべきであることを示す手段と、
を具備する装置。
【請求項２３】
単一キャリア基地局と複数キャリア基地局間の遠隔局ハンドオフを容易にするためのネットワークにおける装置であって、
遠隔局が単一キャリアプロトコルに従って第１の周波数帯域における信号を受信することを決定するための手段と、
前記遠隔局が、前記単一キャリアプロトコルに従って第２の周波数帯域における信号を送信していることを決定するための手段であって、前記第２の周波数帯域は前記第１の周波数帯域と同じ帯域幅をもつ手段と、
前記遠隔局からの第１のメッセージに含まれる種々の基地局の信号強度測定値を受信するための手段と、
前記受信した信号強度測定値に基づいて、前記種々の基地局の少なくとも１つが単一キャリアに準拠しており、前記種々の基地局の少なくとも１つが複数キャリアに準拠していることを決定するための手段と、
前記遠隔局が、前記第１の周波数帯域における複数キャリアに準拠している前記種々の基地局の少なくとも１つから、前記単一プロトコルに従ってメッセージの受信を開始すべきであることを示す第２のメッセージを前記遠隔局に送信するための手段と、
複数キャリアに準拠する前記種々の基地局の少なくとも１つから、前記単一キャリアプロトコルに従って信号を前記第１周波数帯域における前記遠隔局に送信するとともに、複数キャリアに準拠する前記種々の基地局の前記少なくとも１つから、前記第２周波数帯域における前記単一キャリアプロトコルに従って送信された信号のために前記第２の周波数帯域を監視する手段と、
を具備する装置。
【請求項２４】
単一キャリア基地局と複数キャリア基地局間の遠隔局のハンドオフを容易にするための方法であって、
前記遠隔局において、単一キャリアプロトコルに従って第１の周波数帯域における信号を受信することと、
前記遠隔局からの第１のメッセージに含まれる種々の基地局の信号強度測定値を送信することと、
前記遠隔局において、前記信号強度測定値に基づいて作成された、前記遠隔局は前記第１の周波数帯域よりも大きい帯域幅をもつ第２の周波数帯域における複数キャリアプロトコルに従って信号の受信を開始すべきであることを示す第２のメッセージを受信することと、
を具備する方法。
【請求項２５】
前記第１の周波数帯域は前記第２の周波数帯域内に含まれる請求項１に記載の方法。
【請求項２６】
単一キャリア基地局と複数キャリア基地局間の遠隔局のハンドオフを容易にするための方法であって、
前記遠隔局において、単一キャリアプロトコルに従って第１の周波数帯域における信号を受信することと、
前記遠隔局からの第１のメッセージに含まれる種々の基地局の信号強度測定値を送信することと、
前記遠隔局において、前記信号強度測定値に基づいて作成された、前記遠隔局は前記第１の周波数帯域よりも大きい帯域幅をもつ第２の周波数帯域における複数キャリアプロトコルに従ってメッセージの受信を開始すべきであることを示す第２のメッセージを受信することと、を具備し、
前記第２のメッセージはさらに、前記遠隔局は、前記第１の周波数帯域よりも大きい帯域幅をもつ第２の周波数帯域における前記複数キャリアプロトコルに従ってメッセージの送信を開始すべきであることを示す方法。
【請求項２７】
単一キャリア基地局と複数キャリア基地局間の遠隔局ハンドオフを容易にするためのネットワークにおいて、遠隔局のハンドオフを容易にする方法であって、
前記遠隔局において、単一キャリアプロトコルに従って第１の周波数帯域における信号を受信することと、
前記遠隔局からの第１のメッセージに含まれる種々の基地局の信号強度測定値を送信することと、
前記遠隔局において、前記信号強度測定値に基づいて作成された、前記遠隔局は、前記第１の周波数帯域において複数キャリアに準拠している、前記種々の基地局の少なくとも１つから、前記単一キャリアプロトコルに従ってメッセージの受信を開始すべきであることを示す第２のメッセージを受信することと、
前記遠隔局において、複数キャリアに準拠している、前記種々の基地局の少なくとも１つから、前記第１の周波数帯域において、前記単一キャリアプロトコルに従って信号を受信することと、
複数キャリアに準拠している、前記種々の基地局の少なくとも１つから、第２の周波数帯域における前記単一キャリアプロトコルに従って送信された信号のために、第２の周波数帯域を監視することと、
を具備する方法。
【請求項２８】
単一キャリア基地局と複数キャリア基地局間の遠隔局ハンドオフを容易にするためのネットワークにおける遠隔局であって、
単一キャリアプロトコルに従って第１の周波数帯域における信号を受信するための手段と、
第１のメッセージに含まれる種々の基地局の信号強度測定値を送信するための手段と、
前記信号強度測定値に基づいて作成された、前記遠隔局が、前記第１の周波数帯域よりも大きい帯域幅をもつ第２の周波数帯域における複数キャリアプロトコルに従って信号の受信を開始すべきであることを示す第２のメッセージを受信するための手段と、
を具備する遠隔局。
【請求項２９】
前記第１の周波数帯域は前記第２の周波数帯域に含まれる、請求項２８に記載の遠隔局。
【請求項３０】
単一キャリア基地局と複数キャリア基地局間の遠隔局ハンドオフを容易にするためのネットワークにおける遠隔局であって、
単一キャリアプロトコルに従って第１の周波数帯域において信号を受信する手段と、
第１のメッセージに含まれる種々の基地局の信号強度測定値を送信するための手段と、
前記信号強度測定値に基づいて作成された、前記遠隔局は、前記第１の周波数帯域よりも大きい帯域幅をもつ第２の周波数帯域における複数キャリアプロトコルに従ってメッセージの受信を開始すべきであることを示す第２のメッセージを受信するための手段と、を具備し、
前記第２のメッセージはさらに、前記遠隔局が前記第１の周波数帯域よりも大きい帯域幅をもつ第２の周波数帯域における前記複数キャリアプロトコルに従ってメッセージの送信を開始すべきであることを示す遠隔局。
【請求項３１】
単一キャリア基地局と複数キャリア基地局間の遠隔局ハンドオフを容易にするためのネットワークにおける遠隔局であって、
前記遠隔局において、単一キャリアプロトコルに従って第１の周波数帯域における信号を受信するための手段と、
前記遠隔局からの第１のメッセージに含まれる種々の基地局の信号強度測定値を送信するための手段と、
前記遠隔局において、前記受信した信号強度測定値に基づいて作成された、前記遠隔局は、前記第１の周波数帯域において、複数キャリアに準拠している、前記種々の基地局の少なくとも１つから、前記単一キャリアプロトコルに従ってメッセージの受信を開始すべきであることを示す、第２のメッセージを受信するための手段と、
前記遠隔局において、複数キャリアに準拠している前記種々の基地局の少なくとも１つから、前記第１の周波数帯域において前記単一キャリアプロトコルに従って信号を受信するための手段と、
複数キャリアに準拠している前記種々の基地局の少なくとも１つから、前記第２の周波数帯域において前記単一キャリアプロトコルに従って信号の送信をするために第２の周波数帯域を監視するための手段と、
を具備する遠隔局。
【請求項３２】
単一キャリア基地局と複数キャリア基地局間の遠隔局ハンドオフを容易にするためのプログラムコードを記録したコンピュータ読み取り可能な記録媒体であって、前記プログラムコードは、
前記遠隔局において、単一キャリアプロトコルに従って第１の周波数帯域において信号を受信するためのプログラムコードと、
前記遠隔局からの第１のメッセージに含まれる種々の基地局の信号強度測定値を送信するためのプログラムコードと、
前記遠隔局において、前記受信した信号強度測定値に基づいて作成された、前記遠隔局は、前記第１の周波数帯域よりも大きい帯域幅をもつ第２の周波数帯域における複数キャリアプロトコルに従って信号の受信を開始すべきであることを示す第２のメッセージを受信するためのプログラムコードと、
を具備する記録媒体。
【請求項３３】
単一キャリア基地局と複数キャリア基地局間の遠隔局ハンドオフを容易にするためのプログラムコードを記録したコンピュータ読み取り可能な記録媒体であって、前記プログラムコードは、
前記遠隔局において、単一キャリアプロトコルに従って第１の周波数帯域において信号を受信するためのプログラムコードと、
前記遠隔局からの第１のメッセージに含まれる種々の基地局の信号強度測定値を送信するためのプログラムコードと、
前記遠隔局において、前記受信した信号強度測定値に基づいて作成された、前記遠隔局は、前記第１の周波数帯域よりも大きい帯域幅をもつ第２の周波数帯域における複数キャリアプロトコルに従ってメッセージの受信を開始すべきであることを示す第２のメッセージを受信するためのプログラムコードと、を具備し、
前記第２のメッセージはさらに、前記遠隔局が前記第１の周波数帯域よりも大きい帯域幅をもつ第２の周波数帯域における前記複数キャリアプロトコルに従ってメッセージの送信を開始すべきであることを示す記録媒体。
【請求項３４】
単一キャリア基地局と複数キャリア基地局間の遠隔局ハンドオフを容易にするためのプログラムコードを記録したコンピュータ読み取り可能な記録媒体であって、前記プログラムコードは、
前記遠隔局において、単一キャリアプロトコルに従って第１の周波数帯域における信号を受信するためのプログラムコードと、
前記遠隔局からの第１のメッセージに含まれる種々の基地局の信号強度測定値を送信するためのプログラムコードと、
前記遠隔局において、前記受信した信号強度測定値に基づいて作成された、前記遠隔局は、前記第１の周波数帯域において複数キャリアに準拠している前記種々の基地局の少なくとも１つから、前記単一キャリアプロトコルに従ってメッセージの受信を開始すべきであることを示す、第２のメッセージを受信するためのプログラムコードと、
前記遠隔局において、複数キャリアに準拠している前記種々の基地局の少なくとも１つから、前記第１の周波数帯域において、前記単一キャリアプロトコルに従って信号を受信するためのプログラムコードと、
複数キャリアに準拠している前記種々の基地局の少なくとも１つから、前記第２の周波数帯域において、前記単一キャリアプロトコルに従って送信された信号のために前記第２の周波数帯域を監視するためのプログラムコードと、
を具備するメディア。
【請求項３５】
単一キャリア基地局と複数キャリア基地局間の遠隔局ハンドオフを容易にするためのプログラムコードを記録したコンピュータ読み取り可能な記録媒体であって、前記プログラムコードは、
遠隔局が、単一キャリアプロトコルに従って第１の周波数帯域における信号を受信していることを基地局コントローラによって決定するためのプログラムコードと、
前記遠隔局が、前記単一キャリアプロトコルに従って第２の周波数帯域における信号を送信していることを前記基地局コントローラによって決定するためのプログラムコードであって、前記第２周波数帯域は、前記第１周波数帯域と同じ帯域幅をもつプログラムコードと、
前記遠隔局からの第１のメッセージに含まれる種々の基地局の信号強度測定値を前記基地局コントローラによって受信するためのプログラムコードと、
前記受信した信号強度測定値に基づいて、前記種々の基地局の少なくとも１つは、単一キャリアに準拠しており、前記種々の基地局の少なくとも１つは、複数キャリアに準拠していることを前記基地局コントローラによって決定するためのプログラムコードと、
前記遠隔局は、前記第１の周波数帯域よりも大きい帯域幅をもつ第３の周波数帯域における複数キャリアプロトコルに従って信号の受信を開始すべきであることを示す第２のメッセージを前記遠隔局に対して前記基地局コントローラによって送信するためのプログラムコードと、
を具備するメディア。
【請求項３６】
単一キャリア基地局と複数キャリア基地局間の遠隔局ハンドオフを容易にするためのプログラムコードを記録したコンピュータ読み取り可能な記録媒体であって、前記プログラムコードは、
遠隔局が、単一キャリアプロトコルに従って第１の周波数帯域における信号を受信していることを基地局コントローラによって決定するためのプログラムコードと、
前記遠隔局が、前記単一キャリアプロトコルに従って第２の周波数帯域における信号を送信していることを前記基地局コントローラによって決定するためのプログラムコードであって、前記第２周波数帯域は、前記第１周波数帯域と同じ帯域幅をもつプログラムコードと、
前記遠隔局からの第１のメッセージに含まれる種々の基地局の信号強度測定値を前記基地局コントローラによって受信するためのプログラムコードと、
前記受信した信号強度測定値に基づいて、前記種々の基地局の少なくとも１つは、単一キャリアに準拠しており、前記種々の基地局の少なくとも１つは、複数キャリアに準拠していることを前記基地局コントローラによって決定するためのプログラムコードと、
前記第１の周波数帯域より大きい帯域幅をもつ第３の周波数帯域における複数キャリアプロトコルに従ってメッセージの受信を開始すべき前記遠隔局を示す第２のメッセージを前記遠隔局に対して前記基地局コントローラによって送信するためのプログラムコードと、を具備し、
前記第２のメッセージはさらに、前記遠隔局が前記第１の周波数帯域よりも大きい帯域幅をもつ第４の周波数帯域における前記複数キャリアプロトコルに従ってメッセージの送信を開始すべきであることを示すメディア。
【請求項３７】
単一キャリア基地局と複数キャリア基地局間の遠隔局ハンドオフを容易にするためのプログラムコードを記録したコンピュータ読み取り可能な記録媒体であって、前記プログラムコードは、
遠隔局が、単一キャリアプロトコルに従って第１の周波数帯域における信号を受信することを基地局コントローラによって決定するためのプログラムコードと、
前記遠隔局が、前記単一プロトコルに従って第２の周波数帯域における信号を送信していることを前記基地局コントローラによって決定するためのプログラムコードであって、前記第２の周波数帯域は、前記第１周波数帯域と同じ帯域幅をもつプログラムコードと、
前記遠隔局からの第１のメッセージに含まれる種々の基地局の信号強度測定値を前記基地局コントローラによって受信するためのプログラムコードと、
前記受信した信号強度測定値に基づいて、前記種々の基地局の少なくとも１つは、単一キャリアに準拠しており、前記種々の基地局の少なくとも１つは、複数キャリアに準拠していることを前記基地局コントローラによって決定するためのプログラムコードと、
前記遠隔局は、前記第１の周波数帯域において複数キャリアに準拠している前記種々の基地局の少なくとも１つから、前記単一キャリアプロトコルに従ってメッセージの受信を開始すべきであることを示す第２のメッセージを前記遠隔局に対して前記基地局コントローラによって送信するためのプログラムコードと、
複数キャリアに準拠している前記種々の基地局の少なくとも１つから、前記第１の周波数帯域において、前記単一キャリアプロトコルに従って信号を前記遠隔局に対して前記基地局コントローラによって送信するためのプログラムコードと、
複数キャリアに準拠している前記種々の基地局の少なくとも１つから、前記第２の周波数帯域において、前記単一キャリアプロトコルに従って送信された信号のために前記第２の周波数帯域を前記基地局コントローラによって監視するためのプログラムコードと、
を具備するメディア。
【発明の詳細な説明】
【０００１】
発明の背景
１．発明の分野
本発明は、ワイヤレス遠隔通信に関する。より詳細には、本発明は、異なるスペクトル機能をもつデジタル基地局間でのハンドオフを容易にするための新規な方法に関する。
【０００２】
２．関連技術の記載
符号分割多元接続（ＣＤＭＡ）スペクトル拡散通信システムにおいて、当該システム内の全ての基地局と通信を行なうのに、共通の周波数帯域が使用される。そのようなシステムの一例は、ここに参照として組み込まれ、“二重モード広帯域スペクトル拡散セルラシステムのための移動局−基地局両立性基準”を名称とする、ＴＩＡ／ＥＩＡ中間標準ＩＳ−９５−Ａに記載されている。ＣＤＭＡ信号の生成及び受信については、“衛星または地上リピータを使用するスペクトル拡散多元接続通信システム”を名称とする、米国特許第４９０１３０７号及び、“ＣＤＭＡセルラ電話システムにおける波形を生成するためのシステム及び方法”を名称とする米国特許第５１０３４５９号（両方の特許が本発明の譲受人に譲渡されており、ここに参照として組み込まれている）に開示されている。
【０００３】
共通の周波数帯域を占有する信号は、高レート疑似雑音（ＰＮ）符号の使用に基づいてスペクトル拡散ＣＤＭＡ波形特性によって受信局で識別される。ＰＮ符号は、基地局及び遠隔局から送信される信号を変調するのに使用される。異なる基地局からの信号は、各基地局に割当てられたＰＮ符号に導入される独自の時間オフセットの識別によって受信局で別個に受信される。高レートＰＮ変調はまた、受信局が、単一の送信局からの信号を受信することを可能にする。この場合の信号は別個の伝搬路を介して移動したものである。複数信号の復調は、“複数信号を受信することができるシステムにおける復調要素の割当て”を名称とする米国特許第５４９０１６５号及び、“ＣＤＭＡセルラ電話システムにおけるダイバーシチレシーバ”を名称とする米国特許第５１０９３９０号（両方の特許が本発明の譲受人に譲渡されており、ここに参照として組み込まれている）に開示されている。
【０００４】
“ＣＤＭＡセルラ電話システムにおけるソフトハンドオフ”を名称とする米国特許第５１０１５０１号及び、“ＣＤＭＡセルラ通信システムにおける移動局支援によるソフトハンドオフ”を名称とする米国特許第５２６７２６１号（両方の特許が本発明の譲受人に譲渡されており、ここに参照として組み込まれている）は、ハンドオフとして知られる、遠隔局と１つ以上の基地局間での同時通信のための方法及びシステムを開示している。ハンドオフに関するさらなる情報は、“ＣＤＭＡセルラ電話システムでの通信におけるソフトハンドオフを提供するための方法及びシステム”を名称とする米国特許第５１０１５０１号、“ＣＤＭＡセルラ通信システムにおける移動局支援によるソフトハンドオフ”を名称とする米国特許第５６４０４１４号、“共通基地局のセクタ間でのハンドオフを実行するための方法及び装置”を名称とする米国特許第５６２５８７６号（各特許が本発明の譲受人に譲渡されており、その全体がここに参照として組み込まれている）。米国特許第５６２５８７６号の主題は、当業界で“ソフタハンドオフハンドオフ”として知られている技術に関する。術語“ソフトハンドオフ”はここでは、“ソフトハンドオフ”と“ソフタハンドオフ”とを含むことを意図している。
【０００５】
遠隔局が、現在通信を行なっているシステムの境界の外に移動するならば、当該呼を隣接システム（もし存在するならば）に移行することによって通信リンクを維持することが望ましい。隣接システムは、任意のワイヤレス技術を使用することが考えられ、その例としては、ＣＤＭＡ、ＮＡＭＰＳ、ＡＭＰＳ、ＴＤＭＡ、またはＦＤＭＡがある。隣接システムが現在のシステムと同じ周波数帯域に関してＣＤＭＡを使用するならば、インターシステムソフトハンドオフが実行される。インターシステムソフトハンドオフが利用可能でない状況では、通信リンクは、新たな接続が確立される前に現在の接続が切れるハードハンドオフを介して転送される。ハードハンドオフの一例は、ＣＤＭＡシステムから代わりの技術または異なる周波数帯域（インター周波数ハードハンドオフ）を使用する２つのＣＤＭＡシステム間で転送される呼、を使用するシステムまで存在する。
【０００６】
インター周波数ハードハンドオフはまた、ＣＤＭＡシステムの内部で発生する。例えば、中心街エリアなどの高い需要の領域では、需要に答えるために、それを取り囲む郊外領域よりもより大きな数の周波数を必要とする。システム全体に渡って利用可能なすべての周波数を使用することはコスト効率がよくない。高度に密集したエリアにおいてのみ使用される周波数に関して発生する呼は、ユーザがあまり密集していないエリアに移動するときにハンドオフされねばならない。他の例では、マイクロ波または、システムの境界内の周波数に関して動作する他のサービスに関するものである。ユーザが、他のサービスからの干渉があるエリアに移動するときに、この呼は、異なる周波数にハンドオフされねばならない。
【０００７】
ハンドオフは、種々の技術を使用して開始される。ハンドオフを開始するための信号品質測定を使用する技術を含むハンドオフ技術は、“異なるセルラ通信システム間のハンドオフのための方法及び装置”を名称とする、共に係属中の米国特許出願第０８／３２２８１７号に開示されている。この米国出願は、１９９４年１０月１６日に出願され、本発明の譲受人に譲渡され、ここに参照として組み込まれている。ハンドオフを開始するための往復信号遅延の測定を含む、ハンドオフについてのさらなる開示は、“ＣＤＭＡシステムにおけるハードハンドオフのための方法及び装置”を名称とする、共に継続中の米国特許出願第０８／６５２７４２号に開示されている。この米国出願は、１９９６年５月２２日に出願され、本発明の譲受人に譲渡され、ここに参照として組み込まれている。代替技術に対するＣＤＭＡシステムからのハンドオフは、“代替システムハードハンドオフに対する移動体ユニット支援によるＣＤＭＡのための方法及び装置”を名称とする、共に係属中の米国特許出願第０８／４１３３０６（’３０６出願）に開示されている。この米国出願は、１９９５年３月３０日に出願され、本発明の譲受人に譲渡され、ここに参照として組み込まれている。’３０６出願においては、パイロットビーコンは、システムの境界に配置される。遠隔局がこれらのパイロットを基地局に報告するときに、基地局は、遠隔局が当該境界に近づいていることを知る。
【０００８】
システムが、呼はハードハンドオフを介して他のシステムに転送されるべきであると決定したときに、遠隔局が送り先システムに接続可能にするパラメータとともに、転送を指示するメッセージが遠隔局に送信される。システムは、遠隔局の実際の位置と環境の推定のみを有し、したがって、遠隔局に送信されたパラメータは、正確さを保証されない。例えば、ビーコン補助によるハンドオフによれば、パイロットビーコンの信号強度の測定は、ハンドオフをトリガするための有効な基準である。しかしながら、遠隔局（アクティブセットして知られる）に割当てられるべき送り先システムにおける適切なセル（１つまたは複数）は、必ずしも知られていない。
【０００９】
“ｃｄｍａ２０００シリーズＴＩＡ／ＥＩＡ／ＩＳ−２０００”を名称とし、１９９９年８月に出版された、ＣＤＭＡ２０００セルラ電話標準提案（以下、ｃｄｍａ２０００と呼ぶ）は、効率的かつ高い品質の電話サービスを提供するために高度な信号処理技術を使用しており、ここに参照として組み込まれている。例えば、ｃｄｍａ２０００に準拠したセルラ電話システムは、利用可能な無線周波数（ＲＦ）帯域をより効率的に使用して強固な接続を提供するために、復号、エラー検出、フォワードエラー訂正（ＦＥＣ）、インタリーブ、及びスペクトル拡散変調を使用する。概して、ｃｄｍａ２０００によって提供される利点は、他のタイプのセルラ電話システムと比較して、より長時間の会話および、より少ない呼ドロップ率を含む。
【００１０】
セルラ通信の世界において、当業者はしばしば、１Ｇ、２Ｇ及び３Ｇという術語を使用する。この術語は、使用されるセルラ技術の世代を意味する。１Ｇは第一世代、２Ｇは第二世代、３Ｇは第三世代を意味する。１Ｇは、ＡＭＰＳ（高度移動体電話サービス）電話システムとして知られる、アナログ電話システムを意味するのに使用される。
【００１１】
２Ｇは、世界中で普及しているデジタルセルラシステムを総称するのに使用され、ｃｄｍａＯｎｅ、移動体通信（ＧＳＭ）のためのグローバルシステム、時分割多元接続（ＴＤＭＡ）を含む。ｃｄｍａＯｎｅは、符号分割多元接続（ＣＤＭＡ）に基づいて、ＩＳ−９５標準のファミリを支持するデジタルセルラシステムを意味する。２Ｇシステムは、１Ｇシステムよりも密集したエリアにおける多数のユーザを指示することができる。
【００１２】
３Ｇは、現在開発中のデジタルセルラシステムを意味するのに使用される。３Ｇシステムは、ｃｄｍａ２０００及び広帯域ＣＤＭＡ（Ｗ−ＣＤＭＡ）を含む。３Ｇシステムは、２Ｇシステムよりもより高いピークデータ転送レートを確約する。さらに、多くの３Ｇシステムは、２Ｇシステムよりもより多数のユーザを支持することができる。
【００１３】
３Ｘと呼ばれる、ｃｄｍａ２０００の拡散レート３バージョンは、３．７５メガヘルツ（ＭＨｚ）の周波数帯域を使用し、３つの１．２５ＭＨｚチャンク（chunk）からなる。これに対して、以下において１Ｘと呼ぶ、ｃｄｍａ２０００の拡散レート１バージョンは、１．２５ＭＨｚの幅をもつ周波数帯域を使用する。ここで、１Ｘは単一のキャリアプロトコルであり、３Ｘはマルチキャリアプロトコルである。当業界で良く知られているように、単一キャリアプロトコルは、単一の周波数帯域におけるデータを送信し、マルチキャリアプロトコルは、複数（単一キャリア）周波数帯域におけるデータを使用する。例えば、１Ｘは、単一１．２５ＭＨｚ周波数帯域におけるデータを送信するのに対し、３Ｘは３つの１．２５ＭＨｚ周波数帯域におけるデータを送信する。マルチキャリアシステムによって実行される変調技術は、ここではマルチキャリア変調技術と呼ぶが、単一キャリア変調技術と呼ばれる単一のキャリアシステムによって実行される変調技術とは異なっている。１Ｘ及び３Ｘの例は、それぞれ、単一のキャリア及びマルチキャリアプロトコルとして使用されるが、本発明は１Ｘ及び３Ｘプロトコルに限定されず、より高いデータ送信レートを支持することが企てられているＷ−ＣＤＭＡの将来バージョンを例とするように、単一キャリア及びマルチキャリア基地局の両方からなる任意のシステムに同様に適用される。
【００１４】
どのＣＤＭＡ２０００システムであっても、１Ｘ（ＣＤＭＡ２０００のバージョン１Ｘ）のみを、あるいは３Ｘ（ＣＤＭＡ２０００のバージョン３Ｘ）のみを支持しているわけではない。フォワードリンク、すなわち、データを基地局から遠隔局に配送するワイヤレスリンクに関してマルチキャリア３．７５ＭＨｚスペクトルを使用し、リバースリンク、すなわち、データを遠隔局から基地局に配送するワイヤレスリンクに関して単一キャリア１．２５ＭＨｚスペクトルを使用するＣＤＭＡ２０００のバージョンは、“ワイヤレス通信システムにおけるマルチキャリアフォワードリンクを使用する方法及び装置”を名称とする米国特許出願第０９／３８２４３８号に開示されている。これは、この発明の譲受人に譲渡されており、ここに参照として組み込まれている。フォワードリンクに関してマルチキャリア機能を使用し、リバースリンクに関して単一キャリア機能を使用するこのようなシステムは、以下ではハイブリッドシステムと呼ぶことにする。３Ｘ／１Ｘシステムは単なる例として使用されるものであり、ハイブリッドシステムはこのような実施形態に限定されない。ハイブリッドシステムの一例に係るブロック図が図１に示されている。
【００１５】
図１は、フォワードリンクに関してマルチキャリア送信を使用し、リバースリンクに関して単一キャリア送信を使用し、３Ｘプロトコルがフォワードリンクに関して使用され、１Ｘプロトコルがリバースリンクに関して使用される例示的な簡略化されたセルラ電話システムのブロック図である。遠隔局１１０（例えば、セルラ電話、ワイヤレス機能を備えたパーソナルデジタルアシスタント（ＰＤＡ）あるいはワイヤレス機能を備えたラップトップコンピュータ）は、基地局１２０の間に配置されている。遠隔局１１０ａ及び１１０ｂがアクティブモードであり、したがって、ＣＤＭＡ信号処理技術に従って変調された無線周波数（ＲＦ）信号を使用する、少なくとも１つの基地局１２０と接続する。ＣＤＭＡ変調に従ってＲＦ信号を変調するためのシステム及び方法は、“ＣＤＭＡセルラ電話システムにおける信号波形を生成するためのシステム及び方法”を名称とする米国特許第５１０３４５９号に開示されている。これは本発明の譲受人に譲渡されており、すでに参照として組み込まれている。他の遠隔局１１０はスタンバイモードにあり、したがって、通信するための要求を示すページメッセージに対するフルページングチャネルを監視しているか、あるいは、それらはメッセージがフルページングチャネルについて予期されるかどうかを示すインジケータビットに対するクイックページングチャネルを監視している。
【００１６】
少なくとも１つの遠隔局１１０とアクティブモードにある各所定の基地局１２０は、３つの周波数帯域ｆ１、ｆ２、ｆ３を横切ってデータを遠隔局１１０に送信し、単一の周波数帯域ｆ４において遠隔局１１０からデータを受信する。各周波数帯域ｆ１、ｆ２、ｆ３及びｆ４は、同じ帯域を有する。周波数帯域ｆ１、ｆ２、ｆ３は隣接周波数帯域である。例えば、ハイブリッドシステムの一例において、各帯域ｆ１が周波数帯域１９００ＭＨｚ−１９０１．２５ＭＨｚであったならば、ｆ２は、１９０１．２５ＭＨｚ−１９０２．５ＭＨｚ、ｆ３は、１９０２．５ＭＨｚ−１９０３．７５ＭＨｚである。すなわち、この例では、隣接する周波数帯域は１９００ＭＨｚ−１９０３．７５ＭＨｚのスペクトルを占有する。そのような場合、ｆ４は、１８２０ＭＨｚ−１８２１．２５ＭＨｚの範囲に位置する。
【００１７】
基地局１２０は、基地局コントローラ（ＢＳＣ）１１４に接続する。基地局コントローラ１１４は、基地局１２０を制御し、移動体交換局（ＭＳＣ）１１６及び基地局１２０間で情報パケットを交換する。移動体交換局１１６は、公衆交換電話網１１８間での情報パケットを交換する。他の実施形態において、パケットデータ提供ノード（ＰＤＳＮ）などの異なるスイッチはシステムに接続可能である。セルラ電話システムは、１つ以上の基地局コントローラ１１４及び１つ以上の移動体交換センタ１１６を含むことができる。または、逆に、非集中管理システムにおいて、“ワイヤレスデータ通信のための分散インフラストラクチャ”を名称とする米国特許出願第’０９／１５８０４７号（これは本発明の譲受人に譲渡されかつ、ここに参照として組み込まれている）に開示されているような非集中管理システムでは、基地局コントローラ１１４または移動体交換局１１６は、セルラ電話システムを有していない。
【００１８】
図２は、フォワードリンクに関して単一のキャリア送信を使用し、リバースリンクに関して単一のキャリア送信を使用する例示的な簡略化されたセルラ電話システムのブロック図である。遠隔局２１０（概してセルラ電話）などのような遠隔局は、基地局２２０の間に配置されている。遠隔局２１０ａ及び２１０ｂはアクティブモードであり、したがって、ＣＤＭＡ信号処理技術に従って変調された無線周波数（ＲＦ）信号を使用する少なくとも１つの基地局２２０と接続する。他の遠隔局２１０は、スタンバイモードにあり、したがって、通信の要求を示すページメッセージのためのフルページングチャネルを監視するかあるいは、メッセージがフルページングチャネルに関して予期されるどうかを示すインジケータビットに対するクイックページングチャネルを監視する。
【００１９】
少なくとも１つの遠隔局２１０とアクティブモードにある各所定の基地局２２０は、単一の周波数帯域ｆ１を横断してデータを遠隔局２１０に送信し、単一周波数帯域ｆ２において遠隔局２１０からデータを受信する。周波数帯域ｆ１及びｆ２は、所定の量だけオフセット可能である。８０ＭＨｚの量が使用され、ｆ１が周波数帯域１９００ＭＨｚ−１９０１．２５ＭＨｚの範囲にあるならば、ｆ２は、１８２０．００ＭＨｚ−１８２１．８０  ２５ＭＨｚの範囲に位置する。
【００２０】
基地局２２０は、基地局コントローラ１１４に接続する。基地局コントローラ１１４は、基地局２２０を制御し、移動体交換局１１６と基地局２２０との間で情報パケットを交換する。移動体交換局１１６は、公衆交換電話網１１８間で情報パケットを交換する。他の実施形態において、パケットデータ提供ノード（ＰＤＳＮ）などの異なるスイッチがシステムに接続可能である。セルラ電話システムは、１つ以上の基地局コントローラ１１４と１つ以上の移動体交換局１１６を含むことができる。あるいはこれとは逆に、“ワイヤレスデータ通信のための分散インフラストラクチャ”を名称とする米国特許出願第’０９／１５８０４７号（これは本発明の譲受人に譲渡されかつ、ここに参照として組み込まれている）に開示されているような、非集中管理システムにおいては、基地局コントローラ１１４または移動体交換センタ１１６は、別個のエンティティとしてのセルラ電話システムを備えておらず、基地局それ自身に統合される。
【００２１】
図３は、フォワードリンクに関してマルチキャリア送信を使用し、リバースリンクに関してマルチキャリア送信を使用する例示的な簡略化されたセルラ電話システムのブロック図である。遠隔局３１０（概してセルラ電話）などの遠隔局は、基地局３２０の間に配置されている。遠隔局３１０ａ及び３１０ｂは、アクティブモードにあり、したがって、ＣＤＭＡ信号処理技術に従って変調された無線周波数（ＲＦ）信号を使用して少なくとも１つの基地局３２０と接続する。他の遠隔局３１０は、スタンバイモードにあり、したがって、通信するための要求を示すページメッセージに対するフルページングチャネルを監視するかあるいは、それらは、メッセージがフルページングチャネルに関して予期されるかどうかを示すインジケータビットに対するクイックページングチャネルを監視する。
【００２２】
少なくとも１つの遠隔局３１０とアクティブモードにある各所定の基地局３２０は、３つの周波数帯域ｆ１、ｆ２、ｆ３を横切ってデータを遠隔局３１０に送信し、３つの周波数帯域ｆ４、ｆ５、ｆ６を横切って遠隔局３１０からのデータを受信する。各周波数帯域ｆ１、ｆ２、ｆ３、ｆ４、ｆ５、ｆ６は、同じ帯域幅をもっている。周波数帯域ｆ１、ｆ２及びｆ３は、隣接する周波数帯域である。例えば、ハイブリッドシステムにおいて、各帯域ｆ１が周波数帯域１９００ＭＨｚ−１９０１．２５ＭＨｚの範囲であったならば、ｆ２は、１９０１．２５ＭＨｚ−１９０２．５ＭＨｚであり、ｆ３は１９０２．５ＭＨｚ−１９０３．７５ＭＨｚである。すなわち、隣接する周波数帯域は、この例では、１９００ＭＨｚ−１９０３．７５ＭＨｚのスペクトルを占有する。同様にして、周波数帯域ｆ４、ｆ５、ｆ６は、互いに隣接している。周波数帯域ｆ１及びｆ４は、所定の量だけオフセット可能である。８０ＭＨｚの量が使用され、ｆ１が１９００ＭＨｚから開始するならば、リバースリンク帯域ｆ４、ｆ５、ｆ６は、１８２０ＭＨｚ−１８２３．７５ＭＨｚの間に位置する。
【００２３】
キャリアは、単一のネットワークからマルチキャリアシステムに一度にその全体のネットワークをアップグレードすることができるが、これはコストの観点から好ましくはない。キャリアにとってはマルチキャリア機能から最も恩恵を被るネットワークの２，３のエリアにマルチキャリア機能を配置し、その後、時間とともにそのネットワークの他のエリアへと徐々にマルチキャリア機能を普及させるのが望ましい。段階的な普及の間に、システム内のいくつかの基地局は、マルチキャリアプロトコルに準拠し、他の基地局は準拠していないことになる。同様にして、いくつかのキャリアは、そのネットワークの残りの部分をマルチキャリアプロトコルにアップグレードする意志を一度も持つことなしに、マルチキャリアプロトコルを支持するために、そのネットワーク部分をアップグレードすることが望ましいということを見出すだろう。
【００２４】
したがって、ある部分がマルチキャリアプロトコルに準拠し、他の部分がマルチキャリアに準拠していないデジタル基地局を含むワイヤレス通信システムにおけるハンドオフを実行するための方法及び装置が必要とされている。
【００２５】
発明の要約
本発明は、異なるスペクトル機能をもつ複数の基地局と、複数の基地局へデータを送信したり複数の基地局からの送信を受信することが可能な複数の遠隔局を含むデジタルワイヤレス遠隔通信システムに関するものである。本発明は、狭いスペクトル機能の基地局と、広いスペクトル機能の基地局間での遠隔局ハンドオフのための方法を提供する。遠隔局が両方のタイプの基地局の管轄（coverage）範囲にある間に、一組の単一キャリア準拠基地局から少なくとも１つの複数キャリア準拠基地局への遠隔局ハンドオフを確立するためにワイヤレス遠隔通信インフラストラクチャに対する１つの方法が提供される。
【００２６】
一実施形態において、ハンドオフは、遠隔局が単一キャリアプロトコル（例えば１Ｘ）に従って変調された信号を送信するとともに、複数キャリアプロトコルに従って変調された信号を受信することを示すメッセージを遠隔局に送信することによって行なわれる。他の実施形態において、遠隔局は、ハンドオフに先立つ送信のために使用されたものと同じ周波数帯域における変調された信号を送信するように指示される。他の実施形態において、遠隔局は、ハンドオフに先立つ送信のために使用されたものとは異なる周波数帯域における変調された信号を送信するように指示される。他の実施形態において、単一キャリア準拠基地局は、複数キャリアプロトコルに従って生成される信号の一部を単一キャリア周波数において送信する。
【００２７】
他の実施形態において、ハンドオフは、遠隔局が複数キャリアプロトコルに従って変調された信号を送信するとともに、複数キャリアプロトコルに従って変調された信号を受信することを示すメッセージを遠隔局に送信することによって行なわれる。
【００２８】
他の実施形態において、ハンドオフは、遠隔局が単一キャリアプロトコルに従って変調された信号を送信するとともに、単一キャリアプロトコルに従って変調された信号を受信することを示すメッセージを遠隔局に送信することによって行なわれる。この実施形態において、遠隔局は、それが少なくとも１つの複数キャリア準拠基地局から単一キャリア変調信号を受信するように指示される。
【００２９】
多くの実施形態において、リバースリンク干渉を避けるための手段は、２段階のハンドオフを実行することによって達成される。第１段階のハンドオフは、遠隔局が両タイプの基地局の管轄範囲にあるときに実行され、第２段階のハンドオフは、遠隔局が複数キャリア準拠基地局のみの管轄である範囲に移動したときに発生する。
【００３０】
遠隔局は、上記実施形態の受信ハンドオフメッセージに従ってその送信及び受信変調方法を調整する。
【００３１】
本発明は、遠隔局装置、基地局装置及び上記の手順を実行するための基地局コントローラ装置を提供する。
【００３２】
好ましい実施形態の詳細な説明
詳細な説明の大部分は１Ｘ及び３Ｘ基地局を含むｃｄｍａ２０００システムに関連して説明されたが、当業者ならば、本発明が任意のスペクトル拡散システムに適用可能であり、例示的な実施形態の多くにおいて使用される１Ｘ及び３Ｘには限定されないことを認識するであろう。
【００３３】
ある周波数範囲における信号送信について議論するときに、ここで使用される’［特定の］周波数帯域’という言葉は、所定の周波数に渡って拡散されるスペクトル拡散信号を意味する。例えば、信号が周波数帯域Ｘ（ここでの周波数帯域Ｘは、１９００ＭＨｚから１９０３．７５ＭＨｚの範囲の帯域として定義される）において送信されることを言うときに、それは、送信された信号が周波数帯域１９００ＭＨｚから１９０３．７５ＭＨｚに渡って拡散されることを意味する。
【００３４】
図４は、単一キャリアサービスと複数キャリアサービスとの混成配置の間におけるスペクトル拡散システムの管轄の例示的な実施形態の簡略化されたネットワーク図である。
【００３５】
ネットワーク図において、ＢＳ３と描かれた各円形の軌跡は、複数キャリアに準拠しておりかつ対応する管轄／軌跡である基地局を表わしている。各円形それ自身は、基地局ＢＳ３の軌跡を表わしている。物理的な基地局ＢＳ３は図において別個に描かれていないが、それは図示された軌跡内のどこかに配置されるものとする。各複数キャリアに準拠する基地局は、複数キャリアプロトコルに従ってスペクトル拡散信号を送信したり受信することができる。以下では、全ての複数キャリアに準拠する基地局は単に複数キャリア基地局と呼ぶことにする。
【００３６】
ネットワーク図において、ＢＳ１と描かれた各円形の軌跡は、単一キャリアに準拠しておりかつ対応する管轄／軌跡である基地局を表わしている。各円形それ自身は、基地局ＢＳ１の軌跡を表わしている。物理的な基地局ＢＳ１は図において別個に描かれていないが、それは図示された軌跡内のどこかに配置されるものとする。各単一キャリアに準拠する基地局は、単一キャリアプロトコル（例えば１Ｘ）に従ってスペクトル拡散信号を送信したり受信することができる。以下では、全ての単一キャリアに準拠する基地局は単に単一キャリア基地局と呼ぶことにする。
【００３７】
複数キャリアサービスが必要とされる小さなエリア（複数）すなわちポケット（複数）では、キャリア（例えば、Ｖｏｄａｆｏｎｅ  ＡｉｒＴｏｕｃｈ）は、まず、複数キャリアサービスを行なう。図４はそのようなネットワークの一例を示しており、小さなポケットの複数キャリアサービスが６つの複数キャリア基地局ＢＳ３によって提供され、同時に、単一のキャリアサービスが４８の単一キャリア基地局ＢＳ１によって大きな周囲エリアにおいて提供される。ここで、非均質なネットワークという言葉は、ネットワーク４１０のような、複数キャリア基地局と単一キャリア基地局を含むネットワークを意味するものとする。非均質なネットワークとは実質的には、ＢＳＣまたはＭＳＣなどの共通のインフラストラクチャを共有する、単一キャリアシステム（ＢＳ１と描かれた基地局）と複数キャリアシステム（ＢＳ３と描かれた基地局）の組み合わせである。
【００３８】
複数キャリア基地局ＢＳ３は、複数キャリア周波数帯域において複数キャリアプロトコルに準拠してデータを遠隔局に送信することによって遠隔局と通信することに必ずしも限定されない。複数キャリア基地局ＢＳ３は、単一キャリア周波数における単一キャリアプロトコルに従って遠隔局と通信を行なうことができる。
【００３９】
複数キャリア基地局においてそのような柔軟性をもつことは、ネットワーク４１０が１ポケットの単一キャリア基地局を多数キャリア基地局にアップグレードすることによって形成されるときに有益である。そのようなネットワーク４１０において、ネットワーク４１０に関してサービスを望む多くの既存の遠隔局は、単一キャリアに準拠している。これらのアップグレードされたポケットへ移動した複数キャリア非準拠の遠隔局に対するサービスを拒絶しないようにするために、アップグレードされた基地局は、新たに追加された複数キャリアサービスに加えて、単一キャリア準拠のサービスの提供を継続する。
【００４０】
ここで用いられているように複数キャリア基地局は、複数キャリア準拠のみでなく、単一キャリア準拠の基地局をも意味することができるが、このことは単一キャリア基地局の意味に対しては適用できない。ここで使用されているように、単一キャリア基地局は、単一キャリア準拠であるが、完全に複数キャリア準拠ではない基地局である。すなわち、単一キャリア基地局は、複数キャリアプロトコルに従って複数キャリアフォワードリンクに関してデータを送信するとともに、複数キャリアプロトコルに従って複数キャリアリバースリンクに関してデータを受信することができない。複数キャリアプロトコルに従って複数キャリアフォワードリンクに関してデータを送信するとともに、複数キャリアプロトコルに従って複数キャリアリバースリンクに関してデータを受信することができるすべての基地局は、ここでは、複数キャリア基地局と呼ばれる。
【００４１】
図５は、ネットワーク４１０の一部を表わしており、ネットワークを移動する例示的な遠隔局の経路を示している。両者を区別するために、ＢＳ１及びＢＳ３の各インスタンスに対して添え字が追加されている。
【００４２】
図５において、遠隔局はネットワーク４１０の一部を移動する間、呼び出し状態にある。遠隔局は、点５１０で読み出しを開始し、点５５８で当該呼び出しを終了する。図中の“Ｘ”は、遠隔局が異なる管轄エリアにある種々の点に関して読み手に注目させることを意図して描かれている。
【００４３】
点５１０から５１８で、遠隔局はそれ自身、単一キャリア基地局の管轄エリアにある。点５１８で、遠隔局は、ＢＳ１ｄ及びＢＳ１ｅの両方の管轄エリアにある。遠隔局はこれらの点間の複数キャリア管轄に入ることはないので、複数キャリア基地局と単一キャリア基地局間のハンドオフは不要である。
【００４４】
点５３０から５３８で、遠隔局はそれ自身、複数キャリア基地局の管轄エリア内にある。点５３０で、遠隔局は、ＢＳ３Ｃの管轄エリア内のみにある。点５３８で、遠隔局はＢＳ３ｆの管轄エリア内にある。遠隔局は、これらの点間の単一キャリア管轄に入ることはないので、これらの点間の、複数キャリア基地局と単一キャリア基地局間のハンドオフは不要である。
【００４５】
点５５０から５５８で、遠隔局はそれ自身、単一キャリア基地局の管轄エリア内にある。点５５０で、遠隔局はそれ自身、ＢＳ１ｈの管轄エリア内のみにある。点５５８で、遠隔局は、ＢＳ１ｋの管轄エリアの管轄エリア内にある。遠隔局は、これらの点間の複数キャリア管轄に入ることはないので、これらの点間の、複数キャリア基地局と単一エリア基地局間のハンドオフは不要である。
【００４６】
点５２０から５２８で、遠隔局は、単一キャリア基地局と複数キャリア基地局の両方の管轄エリア内にある。点５２０で、遠隔局は、単一キャリア基地局ＢＳ１ｄ及びＢＳ１ｅの管轄エリアにあり、かつ、それは、複数キャリア基地局ＢＳ３ｂの管轄エリア内にある。点５２８で、遠隔局は、単一キャリア基地局ＢＳ１ｆの管轄エリア内にあり、かつ、それは、複数キャリア基地局ＢＳ３ｃの管轄エリア内にある。
【００４７】
点５４０から５４８で、遠隔局は、単一キャリア基地局と複数キャリア基地局の両方の管轄エリア内にある。点５４０で、遠隔局は、単一キャリア基地局ＢＳ１ｉの管轄エリア内にあり、かつ、それは、複数キャリア基地局ＢＳ３ｆの管轄エリア内にある。点５４８で、遠隔局は、単一キャリア基地局ＢＳ１ｈ及びＢＳ１ｉの管轄エリア内にあり、かつ、それは、複数キャリア基地局ＢＳ３ｅの管轄エリア内にある。
【００４８】
呼の状態を維持するために、点５１８と点５３０間の任意の点で、ハンドオフが単一キャリア基地局ＢＳ１と複数キャリア基地局ＢＳ３間で発生しなければならない。同様にして、点５３８と点５５０間の任意の点で、複数キャリア基地局ＢＳ３と単一キャリア基地局ＢＳ１間で発生しなければならない。
【００４９】
本発明のいくつかの実施形態はそのようなハンドオフを容易にする。これらの実施形態を説明するのにいくつかの記述が助けになる。フォワードリンクに対して使用される（１９００ＭＨｚから１９０１．２５ＭＨｚなどの）特定の単一キャリア周波数帯域を表わすのに以下ではＮｆが使用される。また、リバースリンクに対して使用される特定の単一キャリア周波数を表わすのに以下ではＮｒが使用される。複数キャリア周波数帯域という術語は、以下では複数キャリア送信に対して使用される単一キャリア周波数帯域の組を意味するのに使用される。例えば、周波数帯域１９００−１９０１．２５ＭＨｚ、１９０１．２５−１９０２．５０ＭＨｚ、そして、１９０２．５０−１９０３．７５ＭＨｚに関する送信の組み合わせが複数キャリア信号（例えば、３Ｘ送信信号）を送信するのに使用されるならば、これらの単一キャリア周波数帯域の組は、複数キャリア周波数帯域を具備する。また、フォワードリンクに対して使用される特定の複数キャリア周波数帯域を表わすのに以下ではＷｆが使用され、リバースリンクに対して使用される特定の複数キャリア周波数帯域を表わすのに以下ではＷｒが使用される。ＮｆはＷｆ内に含まれるか、あるいは、それは、図７に関してさらに議論するように、Ｗｆの周波数帯域外のものである。同様にして、ＮｒはＷｒ内に含まれるか、あるいは、それは、Ｗｒの周波数帯域外のものである。
【００５０】
周波数Ｎｆ及びＮｒについての単一キャリアプロトコルを介して少なくとも１つの基地局ＢＳ１と通信を行なっており、同時にそれは少なくとも１つの複数キャリア基地局ＢＳ３の管轄エリア内にある遠隔局は、以下では、複数キャリアハンドオフ候補と呼ばれる。図５に関して、遠隔局が点５２０でＢＳ１ｄ及びＢＳ１ｅのみと通信を行なうならば、それは、その時点での複数キャリアハンドオフの候補としてみなされる。これは、それは、複数キャリア基地局ＢＳ３ｂの管轄エリア内にもあるからである。ここで、点５２０は、遠隔局が複数キャリアハンド候補は、遠隔局が複数キャリアハンドオフ候補と考えられる。すべての点５２０−５２８で、少なくとも１つの信号キャリア基地局ＢＳ１と通信を行なっているが、任意の複数キャリア基地局ＢＳ３とは通信を行なっていないならば、遠隔局は、複数キャリアハンドオフ候補とみなされる。
【００５１】
本発明の複数の実施形態について以下に記載する。各実施形態は以下に述べるように非均質システムにおけるハンドオフを確立する。これらの実施形態の説明の後には、すべてのハンドオフ実施形態に対して使用されるフローチャートの説明が続く。
【００５２】
本発明の第１ハンドオフ実施形態において、複数キャリアハンドオフ候補は、少なくとも１つの単一キャリア基地局ＢＳ１から（しばしば拡張されたハンドオフ方向メッセージと呼ばれる）ハンドオフメッセージが送信され、Ｎｆ及びＮｒに関して単一キャリア基地局ＢＳ１との単一キャリア通信を停止して、複数キャリア基地局ＢＳ３との周波数Ｗｆ及びＷｒについての複数キャリア通信を開始することを指示する。例えば、点５２０で、単一キャリアプロトコルを使用して周波数Ｎｆ及びＮｒについてＢＳ１ｄ及びＢＳ１ｅと通信をしていた遠隔局は、通信のモードを周波数Ｗｆ及びＷｒに関する複数キャリアプロトコルに切換えて、基地局ＢＳ３ｂのみと通信を行なうことを指示される。そのような実施形態において、インフラストラクチャは、周波数Ｗｆ及びＷｒについての複数キャリアプロトコルを使用して遠隔局との通信を開始するように複数キャリア基地局ＢＳ３に対して指示する。さらにインフラストラクチャは、遠隔局との通信を中止するように単一キャリア基地局ＢＳ１に対して指示する。ハンドオフの例示的な点として点５２０を使用することにより、ここでの図は、複数キャリアハンドオフ候補が、２つの単一キャリア基地局ＢＳ１及び１つの複数キャリア基地局ＢＳ３の管轄エリア内にあることを仮定する。しかしながら、当業者ならば、それが少なくとも１つの単一キャリア基地局と１つの複数キャリア基地局の管轄エリア内にあるかぎり、複数キャリアハンドオフ候補は、いずれかのタイプの基地局がある管轄エリア内に存在することを認識するであろう。さらに当業者ならば、以下の実施形態の記載は、２つの単一キャリア基地局ＢＳ１と１つの複数キャリア基地局ＢＳ３の管轄エリアに限定されず、２つの複数キャリア基地局ＢＳ３とただ１つの単一基地局ＢＳ１の管轄エリア内にある点などの、他の管轄エリアにも適用されることを認識するであろう。
【００５３】
図６は、２つの単一キャリア基地局ＢＳ１と通信を行なっている複数キャリアハンドオフ候補である遠隔局の通信経路の例示的な図である。図７は、第１のハンドオフ実施形態のハンドオフの後の例示的な通信経路を示している。遠隔局は周波数帯域Ｗｒにおける送信を開始し、周波数帯域Ｗｆにおける受信を開始し、複数キャリアプロトコルに特有の送信は、基地局ＢＳ３によって受信され、基地局ＢＳ３は、周波数帯域Ｗｆにおいて複数キャリアプロトコルに従って送信を開始する。
【００５４】
この第１のハンドオフ実施形態は遠隔局が非均質なネットワークを移動している間に通信リンクを維持するのを可能にしているが、それは、ソフトハンドオフによって提供される通信経路ダイバーシチと電力制御の望ましい特徴が欠如している。
【００５５】
単一キャリア基地局及び複数キャリア基地局の管轄にあるときにそれらと通信ができないことは、パスダイバーシチに悪影響を与える。遠隔局が点５２０に先立って第１のハンドオフ実施形態のハンドオフを実行したならば、遠隔局は、複数キャリア基地局ＢＳ３ｂとの間で確立された通信リンクのみを有する。遠隔局はＢＳ１ｄ及びＢＳ１ｅの両方の管轄エリア内に存在するが、それは、もはやこれらの基地局との通信リンクをもたず、これらの基地局とソフトハンドオフの状態にあることによって受信されるはずのパスダイバーシチを獲得することができない。このことは特に、ＮｆがＷｆ内に含まれており、ＢＳ１ｄまたはＢＳ１ｅが特別に高いパワーレベルで送信しており、ＢＳ３ｂから送信された信号と干渉を起こしている状況において特に顕著である。遠隔局がＢＳ３ｂ、ＢＳ１ｄそしてＢＳ１ｅとソフトハンドオフ状態にあったならば、それは、その高い送信パワーレベルがＢＳ３ｂによって送信された送信信号を大きく破壊する、高い電力の基地局ＢＳ１ｄまたはＢＳ１ｅから良好な送信を受信したであろう。しかしながら、第１のハンドオフ実施形態の場合のように、それがそのようなハンドオフ状態にない場合には、ＢＳ３ｂから破壊された信号を受信するのみである。
【００５６】
そのようなソフトハンドオフの欠如は、リバースリンクパワー制御についても悪影響を及ぼす。例えば、第１のハンドオフ実施形態のハンドオフの後に、点５２０で、ＢＳ３ｂが遠隔局にその送信電力を上昇させるように指示したならば、それはＮｒがＷｒ内に含まれているときに発生するように、遠隔局は、その送信が基地局ＢＳ１ｄまたはＢＳ１ｅと干渉しているかどうかとは無関係にそのようにする。このことは、遠隔局がＢＳ３ｂからの電力制御情報を受信しているときのみの場合である。しかしながら、遠隔局が３つすべての基地局とソフトハンドオフ状態にあった場合に、３つすべての基地局がそのようにすることを要求したならば、それは、送信電力のみを上昇させ、遠隔局が電力レベルを過剰に上げる機会を減少させる。
【００５７】
上記実施形態は、単一キャリア基地局から複数キャリア基地局へのハンドオフをいかにして確立するかについて記載しているが、当業者ならば、複数キャリア基地局から単一キャリア基地局へとハンドオフするのに同じような方法が使用可能であることを認識するであろう。遠隔局が、点５４０または点５４８などの複数キャリア管轄内に存在するならば、複数キャリア基地局から単一キャリア基地局へのハンドオフが使用される。
【００５８】
本発明の第２実施形態において、複数キャリアハンドオフ候補は、単一キャリア基地局ＢＳ１からの単一キャリア信号の受信を継続し、加えて、少なくとも１つの複数キャリア基地局ＢＳ３から周波数Ｎｆについての単一キャリア通信の受信を開始するように、遠隔局に対して指示するソフトハンドオフメッセージが送信される。この実施形態において、インフラストラクチャは、それぞれ周波数帯域Ｎｆ及びＮｒにおけるフォワード及びリバースリンクについて単一キャリアプロトコルを使用して遠隔局との通信を開始することを、これらの複数キャリア基地局Ｂ３に対して指示する。例えば、ソフトハンドオフが点５２０で発生したならば、ＢＳ３ｂは、周波数帯域Ｎｆ及びＮｒにおいて複数キャリアハンドオフ候補との単一キャリア通信を開始するように指示される。
【００５９】
遠隔局がそのようなソフトハンドオフ状態にあるならば、それは、単一キャリア基地局ＢＳ１及び複数キャリア基地局ＢＳ３の両方との通信リンクをもち、そのようなソフトハンドオフによって提供される通信経路ダイバーシチと電力制御の利点を受信する。すなわち、遠隔局は異なる経路に沿って複数基地局からのデータを受信するとともに、複数基地局へデータを送信する。加えて、遠隔局は、その管轄エリアに入っている単一キャリア及び複数キャリア基地局の両方から（電力制御ビットの形態で共通に受信された）電力制御フィードバックを受信しており、その電力送信レベルを、それがこれらの基地局の１つと不必要に干渉を起こす点にまで上昇させる可能性がある。図８は、この実施形態のハンドオフの後の通信経路を示しており、遠隔局は周波数帯域Ｎｒでの通信を継続し、遠隔局は単一キャリア基地局ＢＳ１から周波数帯域Ｎｆにおける単一キャリア送信の受信を継続する。図８はまた、遠隔局が複数キャリア基地局ＢＳ３から周波数Ｎｆにおける単一キャリア送信の受信を開始することを示している。加えて、単一キャリアプロトコルに固有の遠隔局送信は、単一基地局ＢＳ１及び複数キャリア基地局ＢＳ３によって受信される。
【００６０】
上記は、例えば、点５２０で起こる、単一キャリア管轄から混成管轄（単一キャリア基地局の管轄と複数キャリア基地局の管轄の両方のエリア）へのハンドオフを記載しているが、当業者ならば、複数キャリア管轄から点５４０または点５４８などのような、混成管轄へハンドオフするのに同様の方法が使用可能であることを認識するであろう。
【００６１】
第２のハンドオフ実施形態において、遠隔局がいったん、点５３０などのような、それがもはや単一キャリア基地局ＢＳ１の管轄内ではない点に移動すると、遠隔局は、複数キャリア基地局ＢＳ３と通信を行なうのみであるが、単一キャリアプロトコルを使用してそれらと通信を行なう。そのような点で、次のハンドオフが発生して、単一キャリアから複数キャリアへと通信のモードを切り換える。この次のハンドオフは、少なくとも１つの複数キャリア基地局ＢＳ３の組との単一キャリア通信を停止して、周波数帯域Ｗｆ及びＷｒにおける基地局の同じ組に関する複数キャリア通信を開始することをそれに指示するハンドオフメッセージを遠隔局に送信するインフラストラクチャを具備する。言い換えると、遠隔局は、すべての単一キャリア通信を停止して、フォワードリンク及びリバースリンクについて複数キャリアプロトコルを使用して通信することのみをそれに指示するハンドオフメッセージが送信される。そのような実施形態において、インフラストラクチャは、遠隔局との通信のモードを周波数帯域Ｗｆ及びＷｒにおける複数キャリアプロトコルに切り換えるように、複数キャリア基地局ＢＳ３の組に指示する。
【００６２】
例えば、点５３０で、第２のハンドオフ実施形態のハンドオフを実行し、単一キャリアプロトコルを使用して周波数帯域Ｎｆ及びＮｒにおけるＢＳ３ｃと通信をしていた遠隔局は、ＢＳ３ｃとの通信のモードを周波数帯域Ｗｆ及びＷｒにおける複数キャリアプロトコルに切り換えるように指示される。この続くハンドオフの後に、通信経路の図は再び図７に示したもののように見える。
【００６３】
そのような次のハンドオフを実行することは、複数キャリア送信の利点を達成するのを可能にするので都合がよい。第１ハンドオフ実施形態で行なわれたように、遠隔局が複数キャリア及び単一キャリア基地局の管轄エリア内にあるときにフォワードおよびリバースリンクについて複数キャリア送信を実行することは有害な影響を与えるが、単一キャリア管轄エリア内にないときにこれらの送信を実行することは有害な影響を与えない、従って、遠隔局が単一キャリア基地局のＢＳ１管轄エリアに存在した後で実行すべきである。
【００６４】
その基地局のネイティブプロトコル（複数キャリア基地局のネイティブプロトコルは複数キャリアプロトコルであり、単一キャリア基地局のネイティブプロトコルは単一キャリアプロトコルである）における１つのタイプの基地局とのみ通信するように遠隔局に対して指示する次のハンドオフは、点５３０などのように、混成管轄エリアから複数キャリア管轄エリアへと移動する遠隔局に限定されない。むしろ、単一キャリアプロトコルにおける単一キャリア基地局のみと通信を行なうように遠隔局に指示する次のハンドオフメッセージは、点５５０などのように、遠隔局が混成管轄エリアから単一キャリア管轄エリアへと移動するときに使用されるべきである。
【００６５】
本発明の第２のハンドオフ実施形態の第１の実施形態に対する利点は、ソフトハンドオフの使用は、単一キャリア及び複数キャリア基地局の両方の管轄エリアにあるときに、パスダイバーシチの利点を提供するとともに、遠隔局が基地局の両タイプ（単一キャリア及び複数キャリア）からの電力制御フィードバックを受信していることによるセルの１つと干渉する可能性を減少させることである。この第２のハンドオフ実施形態は、第１の実施形態に比べてこれらの改善を提供するが、第２ハンドオフ実施形態に関して考慮するべき事項がある。
【００６６】
そのような事項の一つは、複数キャリア基地局の電力レベルがどのようにして影響を受けるかである。そのような事項は考慮されるべきである。なぜならば、単一キャリアプロトコルを介してＮ情報ビットを送信するためにある周波数帯域Ｘ内で使用されるスペクトル密度を生成するのに必要な送信電力は、複数キャリアプロトコルを介してＮ情報ビットを送信するために同じ帯域Ｘにおいて使用されるスクランブル密度を生成するのに必要な送信電力よりも概してはるかに大きい。この事項は図９（ａ）及び（ｂ）及び図１０を参照することによりより良く考察することができる。
【００６７】
図９は、スペクトル密度及び、１Ｘ（図９（ａ））の例示的な単一キャリアプロトコルを使用してＮ情報ビットを送信するのに使用される関連送信電力の例示を含み、それは、スペクトル密度及び、３Ｘ（図９（ｂ））の例示的な複数キャリアプロトコルを使用してＮ情報ビットを送信するのに使用される関連送信電力の例示を含む。
【００６８】
単一キャリアプロトコルは、単一キャリア変調方法に従って情報ビットを変調し、変調されたビットをＢｎの帯域をもつ周波数帯域において送信電力Ｐｎで送信する。今後、所定のスペクトル密度は、ＣＲＯＳＳ−ＰＲＯＤＵＣＴ表記を使用して表わされる。例えば、図９（ａ）において、Ｐｎは帯域Ｂｎを介して信号を生成するのに使用される電力である。すなわち、図９（ａ）に示される単一キャリア信号のスクランブル密度は、Ｐｎ×Ｂｎとして表わされる。
【００６９】
複数キャリアプロトコルは、複数キャリア変調方法に従って情報ビットを変調し、周波数帯域Ｂｗにおける各周波数帯域ＢｎでＰｗの送信電力で変調されたビットを送信する。複数キャリア信号はＰｗ×Ｂｗのフルスペクトル密度を有する。
【００７０】
電力ＰｎはＰｗよりも大きく、帯域Ｂｗは帯域Ｂｎよりも大きい。３Ｘを例示的な複数キャリアプロトコルとして使用し、１Ｘを例示的な単一キャリアプロトコルとして使用して、帯域Ｂｗは３つのＢｎサイズのチャンクからなる。容易にわかるように、特定の帯域Ｂｎにおけるスペクトル密度は、それが３Ｘ複数キャリア信号に対してよりも１Ｘ単一キャリア信号に対してのほうがはるかに大きい。同様にして、スペクトル密度Ｐｎ×Ｂｎを生成するのに使用される送信電力Ｐｎは、各Ｂｎ周波数チャンクにおけるスペクトル密度Ｐｗ×Ｂｎを生成するのに使用される電力レベルＰｗの約３倍である。
【００７１】
図１０（ａ）及び図１０（ｂ）は、複数キャリア基地局ＢＳ３が単一キャリア信号を第１遠隔局に送信し、複数キャリア信号を第２の遠隔局に同時に送信する２つの代替的な実施形態を示す。
【００７２】
重複する周波数を使用する二重送信と書かれた、図１０（ａ）の実施形態は、非均質なネットワーク４１０において、単一キャリア周波数帯域Ｎｆは複数キャリア周波数帯域Ｗｆ内に含まれる。そのような非均質なネットワークは、以下では、重複する非均質なネットワークと呼ぶことにする。図１０（ａ）は、２つの遠隔局に送信するために種々の周波数帯域において使用される送信電力及びスペクトル密度を示している。第１は、第２ハンドオフ実施形態のソフトハンドオフであり、単一キャリアプロトコルは１Ｘプロトコルである。第２は、３Ｘ複数キャリアプロトコルに従ってＢＳ３と通信を行なうものである。重複する非均質なネットワークにおいて、複数キャリア基地局ＢＳ３は、周波数帯域１０２０，１０３０，１０４０からなる周波数帯域１０１０において、第２の遠隔局に対して意図された複数キャリアプロトコルに従って変調された信号を送信する。加えて、複数キャリア基地局ＢＳ３は、周波数帯域１０２０において、第１の遠隔局に対して意図された単一キャリアプロトコルに従って変調された信号を送信する。異なる電力増幅器が各帯域１０２０，１０３０，１０４０に対して使用されることを想定すると、周波数帯域１０３０及び１０４０における複数キャリア信号のスペクトル密度を生成するためにＢＳ３の各増幅器によって使用される送信電力は、Ｐｗである。周波数帯域１０２０における単一キャリア及び複数キャリア信号のスペクトル密度を生成するためにＢＳ３の増幅器によって使用される送信電力は、Ｐｎ＋Ｐｗであり、これは、単一キャリア変調信号を送信するのに要する送信電力と、複数キャリア変調信号を送信するのに要する送信電力との和である。周波数帯域１０１０はＷｆを表わし、周波数帯域１０２０はＮｆを表わす。
【００７３】
重複しない周波数を使用する二重送信と書かれた、図１０（ｂ）の実施形態は、非均質なネットワーク４１０において、単一キャリア周波数帯域Ｎｆは、複数キャリア周波数帯域Ｗｆの外に配置されている。そのような非均質ネットワークは、以下では、非重複、非均質なネットワークと呼ぶことにする。図１０（ｂ）は、２つの遠隔局に送信するために種々の周波数帯域において使用される送信電力を示している。第１は、第２ハンドオフ実施形態のソフトハンドオフであり、単一キャリアプロトコルは１Ｘプロトコルである。第２は、３Ｘ複数キャリアプロトコルに従ってＢＳ３と通信を行なっている。非重複、非均質なネットワークにおいて、複数キャリア基地局ＢＳ３は、周波数帯域１０６０，１０７０，１０８０を備える周波数帯域１０５０において第２の遠隔局に対して意図された複数キャリアプロトコルに従って変調された信号を送信する。加えて、複数キャリア基地局ＢＳ３は、周波数帯域１０９０において、第１の遠隔局に対して意図された単一キャリアプロトコルに従って変調された信号を送信する。異なる電力増幅器が各１０６０，１０７０，１０８０に対して使用されることを想定すると、周波数帯域１０６０，１０７０，１０８０における複数キャリア信号のスペクトル密度を生成するために各増幅器ＢＳ３によって使用される送信電力はＰｗである。周波数帯域１０９０における単一キャリア信号のスペクトル密度を生成するためにＢＳ３の増幅器によって使用される送信電力はＰｎである。この場合、周波数帯域１０５０はＷｆを表わし、周波数帯域１０９０はＮｆを表わす。上記したように、本発明の第２ハンドオフ実施形態は、電力レベルに影響する。ｃｄｍａ２０００システムなどのような遠隔通信システムは概して、各増幅器がある量の電力のみを送信できるという点において電力制限されている。重複する非均質なネットワークにおいて、これは、以下のような効果をもつ。一例として、非均質なネットワークにおける複数キャリア基地局ＢＳ３を考慮すると、各ＢＳ３増幅器は、５＊Ｐｗの最大送信電力制限をもつ。このことは、ＢＳ３は同時に５つの遠隔局までとの通信を支持可能なことを意味する。しかしながら、この数は、ＢＳ３がソフトハンドオフ状態にある遠隔局と単一キャリアモードで通信を行なうときに減少する。図１１及び図１２は、このことを視覚化したものである。図１１において、１つの複数キャリア呼の送信電力が例示され、５＊Ｐｗは、所定の複数キャリア基地局ＢＳ３に対する最大利用可能送信電力レベルである。この所定の最大電力レベルが与えられると、複数キャリア基地局ＢＳ３は現在起動されている１つの呼に加えて、さらなる４つの呼を支持することができる。これは、各複数キャリア呼が増幅器ごとにＰｗの平均送信電力レベルを使用するからである。しかしながら、この同じ基地局に関して単一キャリア呼を起動することは、図１２に示すように、この容量を大きく減少させる。
【００７４】
図１２は、複数キャリア基地局ＢＳ３についての単一キャリア呼に関連する１つの複数キャリア呼の送信電力を示している。当業者ならば、この点においてただ１つのさらなる複数キャリア呼が追加可能であり、周波数帯域Ｎｆを支持している増幅器の電力レベルが飽和に近いためにこの点ではこれ以上のソフトハンドオフ呼が追加できないことを認識するであろう。
【００７５】
５＊Ｐｗの電力制限の一例は、実際のシステムにおいて期待できるものよりも小さいが、それは、複数キャリア基地局の利用可能な複数キャリア呼容量は、基地局が単一キャリアプロトコルに従ってフォワードリンクに関してデータを送信することを開始するときに減少することを明示的に示す役目をもつ。すなわち、重複する非均質なネットワークにおいて、第２のハンドオフ実施形態は、複数キャリア呼容量に関して悪影響をもつ。この悪影響は、複数キャリア基地局ＢＳ３が、複数キャリア呼及び単一キャリア呼に対して２つのはっきり区別できる周波数を使用するので、非重複かつ非均質なネットワークにおいては発生しない。ここで、各周波数は図１０（ｂ）に示すように、その自身の増幅器によって支持される。しかしながら、非重複かつ非均質なネットワークを生成するのに必要な余分な周波数スペクトルを購入することはコスト高になり、さらなる送信器に対する配置コストに同様にして高くなってしまう。
【００７６】
図１２のスペクトル密度分布を見ることにより、当業者ならば、第２のハンドオフ実施形態のハンドオフにおける各遠隔局に対して、単一キャリア周波数帯域Ｎｆ（図１０（ａ）における１０２０）における干渉は、基地局ＢＳ３が、Ｎｆ以外の周波数帯域における単一キャリアプロトコルに従ってデータを複数キャリアハンドオフ候補に送信したならば、あるいは、基地局ＢＳ３が、複数キャリアプロトコル（すなわち、より広い周波数帯域にわたり送信のスペクトル密度を配布する）複数キャリアプロトコルに従ってデータを複数キャリアハンドオフ候補に送信したならば、そうであった場合よりも高くなることを認識するであろう。
【００７７】
本発明の第２ハンドオフ実施形態に関連して考慮すべき他の事項は、遠隔局がソフトハンドオフ状態にあるときに、それが単一キャリア通信のみに係わっているという事実がフォワードリンクデータ送信レートを制限することである。これは大変重要な考察である。多くの通信システムにおいて、複数キャリアプロトコルは、遠隔局が、単一キャリアプロトコルよりもフォワードリンクに関してより多くのデータを受信する手段を提供する。すなわち、第１ハンドオフ実施形態が第２ハンドオフ実施形態に対して有する１つの利点は、遠隔局が第１ハンドオフ実施形態における複数キャリア管轄内にあるときに、より高いデータレート送信が開始されることである。第２ハンドオフ実施形態では、遠隔局は、それが単一キャリア管轄の外にでるまでより高いデータレートの送信を開始しない。
【００７８】
本発明の他の実施形態は、第１ハンドオフ実施形態の利点と第２ハンドオフ実施形態のそれとを組み合わせたものである。以下のハンドオフ実施形態において、複数キャリアハンドオフ候補は、受信のモードを複数キャリアモードの切り換えるが単一キャリアモードで送信するように遠隔局に対して指示するハンドオフメッセージが送信されることである。言い換えると、複数キャリアハンドオフ候補は、それが図２の遠隔局２２０ａのようにふるまうモードから、図１の遠隔局１１０ａのようにふるまうモードへ切り換えさせるメッセージが送信される。これらの実施形態のいくつかが以下に記載される。
【００７９】
本発明の第３ハンドオフ実施形態において、複数キャリアハンドオフ候補は、Ｎｒにおいて単一キャリアプロトコルに従ったデータの送信を継続するとともに、少なくとも１つの複数キャリア基地局ＢＳ３からＷｆにおいて複数キャリアプロトコルに従ったデータの受信を開始するように、遠隔局に対して指示するハンドオフメッセージが送信される。この実施形態において、遠隔局は、それがハンドオフの前にデータの送信のために使用されたときにハンドオフの後にデータの送信に対して同じ周波数帯域Ｎｒを使用する。インフラストラクチャは、周波数帯域Ｗｆにおける複数キャリアプロトコルを使用してフォワードリンクに関して遠隔局へのデータの送信を開始するように、これらの複数キャリア基地局ＢＳ３に対して指示する。さらに、インフラストラクチャは、周波数帯域Ｎｒにおいて単一キャリアプロトコルに従って遠隔局からのリバースリンク送信の受信を開始するように、これらの複数キャリア基地局ＢＳ３に対して指示する。例えば、ハンドオフが点５２０で発生したならば、複数キャリア基地局Ｂ５３ｂは、複数キャリアプロトコルに従って周波数帯域Ｗｆにおいて遠隔局へのデータの送信を開始するように指示される。さらに、単一キャリア基地局ＢＳ１ｄ及びＢＳ１ｅは、遠隔局へのデータの送信を停止するように指示されるが、遠隔局から周波数帯域Ｎｒにおける単一キャリア通信の受信を継続するように（指示によって）能動的にまたは（指示なしに）受動的に指示される。遠隔局は、ハンドオフメッセージを介して、周波数帯域Ｎｒにおいて単一キャリアプロトコルに従って、以前のようにデータの送信を継続するが、基地局ＢＳ３ｂから周波数Ｗｆに関して複数キャリアプロトコルに従ったデータの受信を開始することを指示される。図１３は、第３実施形態のハンドオフの後における例示的な通信経路の図である。ここでは、遠隔局は周波数帯域Ｎｒにおける送信を継続するとともに、周波数帯域Ｗｆにおける受信を開始する。また、単一キャリアプロトコルに特有の送信は、２つの単一キャリア基地局ＢＳ１及び１つの複数キャリア基地局ＢＳ３によって受信され、基地局ＢＳ３は、周波数帯域Ｗｆにおける複数キャリアプロトコルに従った送信を開始する。
【００８０】
以上、例えば、点５２０で発生する、単一キャリア管轄から混成管轄（単一キャリア基地局の管轄及び複数キャリア基地局の管轄の両方に属するエリア）へのハンドオフについて説明したが、当業者ならば、点５４０または点５４８などにおいて、同様の方法が複数キャリア管轄から混成管轄へハンドオフするのに使用可能であることを認識するであろう。
【００８１】
第３ハンドオフ実施形態において、遠隔局が、それが点５３０などの単一キャリア基地局ＢＳ１の管轄にもはや存在しない点にいったん移動したならば、通信のモードを単一キャリアから複数キャリアへ切り換える次のハンドオフが発生する。この次のハンドオフは、少なくとも１つの複数キャリア基地局ＢＳ３の組との単一キャリア通信を停止するとともに、周波数帯域Ｗｆ及びＷｒにおける基地局の同じ組に関して複数キャリア通信を開始するようにそれに指示するハンドメッセージを遠隔局に送信するインフラストラクチャを具備する。言い換えると、遠隔局は、すべての単一キャリア通信を停止して、フォワード及びリバースリンクに関して複数キャリアプロトコルのみを使用して通信するようにそれに指示するハンドオフメッセージが送信される。そのような実施形態において、インフラストラクチャは、遠隔局との通信のモードを周波数帯域Ｗｆ及びＷｒにおける複数キャリアプロトコルに切り換えるように、複数キャリア基地局ＢＳ３の組に対して指示する。
【００８２】
その基地局のネイティブプロトコルにおける１つのタイプの基地局とのみ通信するように遠隔局に対して指示する次のハンドオフは、混成管轄エリアから点５３０などの複数キャリア管轄エリアに移動する遠隔局に限定されない。むしろ、単一キャリアプロトコルにおける単一キャリア基地局とのみ通信するように遠隔局に対して指示する次のハンドオフメッセージは、遠隔局が混成管轄エリアから点５５０などの単一キャリア管轄エリアに移動するときに使用されるべきである。
【００８３】
この第３ハンドオフ実施形態は、先に議論した考察に関連する第２ハンドオフ実施形態に対して改善点を提供する。第３ハンドオフ実施形態において、遠隔局に送信するために複数キャリア基地局によって使用される送信電力は、１つのチャネルに関して不釣合いに増大しない。例えば、図１２は、第２ハンドオフ実施形態の方法によるソフトハンドオフの間に、複数キャリア基地局ＢＳ３は（送信電力の制限により）さらに１つの複数呼を支持することに制限され、さらなるソフトハンドオフを支持することができない、ことを示している。しかしながら、単一複数キャリア呼及び単一ソフトハンドオフが進行中にあり、単一ソフトハンドオフが第３ハンドオフ実施形態の方法に従って実行される同じような状況において、複数キャリア基地局の送信電力制限は、そのような深刻な限定を引き起こさない。これは、第３ハンドオフ実施形態においては、ハンドオフ中の遠隔局は、単一キャリア信号ではなく複数キャリア信号が送信されるためである。図１１に示すように、他の遠隔局とソフトハンドオフに従事するに先立って１つの遠隔局にサービスを行なっていた複数キャリア基地局に関する電力送信は、第３ハンドオフ実施形態の方法によって他の遠隔局とのソフトハンドオフを開始した後、図１４に示すような電力送信状態に移行する。図１４に示すように、ハンドオフ中の遠隔局に対する送信電力は、周波数帯域Ｗｆの３つの副帯域全体に渡って均一に拡散される。すなわち、この例において、最大送信電力レベルは５＊Ｐｗであり、第３ハンドオフ実施形態の方法によるソフトハンドオフは、１つの遠隔局を対象としているのに対して、他の複数キャリア呼は、他の遠隔局と共に進行する。複数キャリア基地局は３つのさらなる遠隔局に送信することができ、それぞれは純粋の複数モードかあるいはソフトハンドオフモード状態にある。これは、図１２に関連して説明されているように、第２ハンドオフ実施形態のソフトハンドオフにより発生する電力制限と比較して大きな改善である。第３ハンドオフ実施形態が第２ハンドオフ実施形態の方法に対して利点を有する他の方法は、高データレート送信が、遠隔局が複数キャリア管轄に移行するやいなや、フォワードリンクに関して発生することである。
【００８４】
第３ハンドオフ実施形態はいくつかの利点を提供するが、第３ハンドオフ実施形態についていくつかの考察が必要である。例えば、第３ハンドオフ実施形態はリバースリンクに関してパスダイバーシチを提供するが、それは、第２ハンドオフ実施形態の方法により提供されるフォワードリンクに関してパスダイバーシチを提供しない。さらに、第３ハンドオフ実施形態は、ソフトハンドオフにあるときに、複数キャリア基地局からの電力制御フィードバックのみを提供する。第１ハンドオフ実施形態に関連して議論したように、複数キャリア基地局からの電力制御フィードバックのみを受信する遠隔局は、不注意により過度に高い電力で送信してしまい、遠隔局が存在する管轄の単一キャリア基地局と干渉してしまう。電力制御のこの問題に対する解決策がこのハンドオフ実施形態、及び上記した電力制御問題をもつ他の実施形態において提供される。
【００８５】
そのような解決策は以下の通りである。遠隔局からの送信を受信している１つ以上の単一キャリア基地局ＢＳ１は、対象となっている遠隔局に関した電力制御情報を含むメッセージを生成する。この情報は、遠隔局がその電力を低くするべきかどうかなどの簡単なものであるか、あるいは、それは、対象となっている遠隔局から受信される信号に関するより詳細な情報を含む。単一キャリア基地局は、これらのメッセージをインフラストラクチャバックホウルを介して遠隔局と通信を行なっている１つ以上の複数キャリア基地局に送信する。バックホウル及びそれを介していかにしてメッセージを送信するかについての知識は当業者に良く知られている。複数キャリア基地局は、それが、送信電力の増大または減少を示す電力制御ビットを遠隔局に送信するべきかどうかを決定するときに、この受信した情報を使用する。しかしながら、バックホウルについての遅延及び帯域制限のために、このような解決策は現実的でない。そのような場合において、遠隔局による過剰送信電力による単一キャリアシステムにおいて発生する干渉の問題は、第３ハンドオフ実施形態に残されたままになる。
【００８６】
第４ハンドオフ実施形態は異なる方法におけるリバースリンクに関する干渉の問題に焦点を当てる。第４ハンドオフ実施形態において、第３ハンドオフ実施形態に見られるのと同様のソフトハンドオフが使用され、複数キャリア通信は、フォワードリンクに関してデータを遠隔局に送信するために複数キャリア基地局によって使用され、単一キャリア通信は、リバースリンクに関してデータを基地局に送信するために遠隔局によって使用される。第３ハンドオフ実施形態と第４ハンドオフ実施形態の相違点は以下の通りである。第３ハンドオフ実施形態のソフトハンドオフにおいて、遠隔局は、ハンドオフの前及び後において、単一キャリア周波数帯域Ｎｒにおいてデータを送信する。これに対して、第４ハンドオフ実施形態において、遠隔局は、ハンドオフに先立って使用される単一キャリア周波数帯域とは異なる単一キャリア周波数帯域においてハンドオフの後にデータを送信する。この相違点は、図１３に示すリバースリンクのラベルをＮｒから、図１５に示すようにＮｒａのラベルに変換することによって例示される。Ｎｒは、複数キャリア基地局とソフトハンドオフ状態にない遠隔局のために単一キャリアシステムによって使用されるリバースリンク周波数帯域を表わす（そしてそれは第２及び第３実施形態のハンドオフに関わる遠隔局によって使用されるリバースリンク周波数帯域を表わす）のに対して、Ｎｒａは、周波数帯域Ｎｒの外にある単一キャリア周波数帯域リバースリンクを表わす。ソフトハンドオフのときに、遠隔局にリバースリンクに対して異なる単一キャリア帯域を使用させることによって、それは、遠隔局による過剰送信電力の使用による単一キャリアシステムに発生する干渉の問題を除去する。図１５においてＮｒにより表記された他の単一キャリアリバースリンク周波数帯域は、例示的な実施形態における周波数帯域Ｗｒ内に含まれる。他の実施形態において、Ｎｒａは周波数帯域Ｗｒの外に含まれる。
【００８７】
上記は、例えば、点５２０で起こる、単一キャリア管轄から混成管轄（単一キャリア基地局の管轄と複数キャリア基地局の管轄の両方のエリア）へのハンドオフを記載しているが、当業者ならば、複数キャリア管轄から点５４０または点５４８などのような、混成管轄へハンドオフするのに同様の方法が使用可能であることを認識するであろう。
【００８８】
第４ハンドオフ実施形態において、遠隔局がいったんそれがもはや点５３０などの単一キャリア基地局ＢＳ１の管轄にない点にまで移動したならば、単一キャリアから複数キャリアへの通信モードの切り換える次のハンドオフが発生する。この次のハンドオフは、少なくとも１つの複数キャリア基地局ＢＳ３の組との単一キャリア通信を停止して、周波数帯域Ｗｆ及びＷｒにおける基地局の同じ組に関する複数キャリア通信を開始するように、それに対して指示するハンドオフメッセージを遠隔局に送信するインフラストラクチャを備える。他方、遠隔局は、すべての単一キャリア通信を停止して、フォワード及びリバースリンクに関する複数キャリアプロトコルのみを使用して通信するように、それに対して指示するハンドオフメッセージが送信される。そのような実施形態において、インフラストラクチャは、遠隔局との通信モードを周波数帯域Ｗｆ及びＷｒにおける複数キャリアプロトコルに切り換えるように、複数キャリア基地局ＢＳ３の組に対して指示する。
【００８９】
その基地局のネイティブプロトコルにおける１つのタイプの基地局とのみ通信するように遠隔局に対して指示する次のハンドオフは、混成管轄エリアから点５３０などの複数キャリア管轄エリアに移動する遠隔局に限定されない。むしろ、単一キャリアプロトコルにおける単一キャリア基地局とのみ通信するように遠隔局に対して指示する次のハンドオフメッセージは、遠隔局が混成管轄エリアから点５５０などの単一キャリア管轄エリアに移動するときに使用されるべきである。
【００９０】
第４ハンドオフ実施形態において、インフラストラクチャは、周波数帯域Ｎｒａにおける単一キャリアプロトコルに従ってデータの送信を開始するとともに、少なくとも１つの複数キャリア基地局ＢＳ３から周波数帯域Ｗｆにおける複数キャリアプロトコルに従ってデータの受信を開始するように、ハンドオフメッセージを介して、遠隔局に対して指示する。インフラストラクチャは、周波数帯域Ｗｆにおける複数キャリアプロトコルを使用してフォワードリンクに関して遠隔局へのデータの送信を開始するように、これらの複数キャリア基地局ＢＳ３に対して指示する。さらに、インフラストラクチャは、周波数帯域Ｎｒａにおいて単一キャリアプロトコルに従って遠隔局からのリバースリンク送信の受信を開始するように、これらの複数キャリア基地局ＢＳ３に対して指示する。また、インフラストラクチャは、遠隔局からのリバースリンク送信の受信を周波数帯域Ｎｒから（第４ハンドオフ実施形態に関して記載した）周波数帯域Ｎｒａへと切り換えるように、ハンドオフに関わった単一キャリア基地局ＢＳ１に対して指示する。
【００９１】
上記は、例えば、点５２０で起こる、単一キャリア管轄から混成管轄（単一キャリア基地局の管轄と複数キャリア基地局の管轄の両方のエリア）へのハンドオフを記載しているが、当業者ならば、複数キャリア管轄から点５４０または点５４８などのような、混成管轄へハンドオフするのに同様の方法が使用可能であることを認識するであろう。
【００９２】
第４ハンドオフ実施形態において、遠隔局がいったんそれがもはや点５３０などの単一キャリア基地局ＢＳ１の管轄にない点にまで移動したならば、単一キャリアから複数キャリアへの通信モードの切り換える次のハンドオフが発生する。この次のハンドオフは、少なくとも１つの複数キャリア基地局ＢＳ３の組との単一キャリア通信を停止して、周波数帯域Ｗｆ及びＷｒにおける基地局の同じ組に関する複数キャリア通信を開始するように、それに対して指示するハンドオフメッセージを遠隔局に送信するインフラストラクチャを備える。他方、遠隔局は、すべての単一キャリア通信を停止して、フォワード及びリバースリンクに関する複数キャリアプロトコルのみを使用して通信するように、それに対して指示するハンドオフメッセージが送信される。そのような実施形態において、インフラストラクチャは、遠隔局との通信モードを周波数帯域Ｗｆ及びＷｒにおける複数キャリアプロトコルに切り換えるように、複数キャリア基地局ＢＳ３の組に対して指示する。
【００９３】
その基地局のネイティブプロトコルにおける１つのタイプの基地局とのみ通信するように遠隔局に対して指示する次のハンドオフは、混成管轄エリアから点５３０などの複数キャリア管轄エリアに移動する遠隔局に限定されない。むしろ、単一キャリアプロトコルにおける単一キャリア基地局とのみ通信するように遠隔局に対して指示する次のハンドオフメッセージは、遠隔局が混成管轄エリアから点５５０などの単一キャリア管轄エリアに移動するときに使用されるべきである。
【００９４】
図１６は、ソフトハンドオフ状態にある遠隔局からのリバースリンク送信を受信しない点のみが第４ハンドオフ実施形態と異なる第５ハンドオフ実施形態のハンドオフにおける遠隔局を示している。単一キャリア基地局はパスダイバーシチのために遠隔局からの単一キャリア送信を受信するのが望ましいが、１つはソフトハンドオフ状態にない遠隔局に用いられ、他の１つはソフトハンドオフ状態にある遠隔局に用いられる、２つの周波数帯域における単一キャリア信号を受信するように単一キャリア基地局ＢＳ１を構成するにあたってコスト的に問題となる。第５ハンドオフ実施形態は、それが単一キャリア基地局ＢＳ１に関して２つの周波数帯域において送信を受信することが必要な構成を実行することが望まれない状況において使用される。第５ハンドオフ実施形態において、複数キャリア基地局ＢＳ３と遠隔局とは第４ハンドオフ実施形態と同じ方法で実行する。実際、第４と第５ハンドオフ実施形態のただ１つの相違は、単一キャリア基地局ＢＳ１は、第５ハンドオフ実施形態のハンドオフの後で遠隔局との通信に使用されないことである。
【００９５】
第５ハンドオフ実施形態において、インフラストラクチャは、単一キャリア基地局ＢＳ１との通信を停止して、周波数帯域Ｎｒａにおける単一キャリアプロトコルに従ったデータの送信を開始し、少なくとも１つの複数キャリア基地局ＢＳ３から周波数帯域Ｗｆにおける複数キャリアプロトコルに従ったデータの受信を開始するように、ハンドオフメッセージを介して、遠隔局に対して指示する。そのような実施形態において、インフラストラクチャは、周波数帯域Ｗｆにおける複数キャリアプロトコルを使用してフォワードリンクに関して遠隔局へのデータの通信を開始するように、これらの複数キャリア基地局ＢＳ３に対して指示する。さらに、インフラストラクチャは、周波数帯域Ｎｒａにおける単一キャリアプロトコルに従って遠隔局からのリバースリンク送信の受信を開始するように、これらの複数キャリア基地局ＢＳ３に対して指示する。また、インフラストラクチャは、遠隔局との通信を停止するように、単一キャリア基地局ＢＳ１に対して指示する。
【００９６】
第４ハンドオフ実施形態に対する第５ハンドオフ実施形態の欠点は、第４ハンドオフ実施形態によって提供されたリバースリンクダイバーシチが第５ハンドオフ実施形態には存在しないことである。
【００９７】
以上、例えば、点５２０で発生する、単一キャリア管轄から混成管轄（単一キャリア基地局の管轄及び複数キャリア基地局の管轄の両方に属するエリア）へのハンドオフについて説明したが、当業者ならば、点５４０または点５４８などにおいて、同様の方法が複数キャリア管轄から混成管轄へハンドオフするのに使用可能であることを認識するであろう。
【００９８】
第５ハンドオフ実施形態において、遠隔局が、それが点５３０などの単一キャリア基地局ＢＳ１の管轄にもはや存在しない点にいったん移動したならば、通信のモードを単一キャリアから複数キャリアへ切り換える次のハンドオフが発生する。この次のハンドオフは、少なくとも１つの複数キャリア基地局ＢＳ３の組との単一キャリア通信を停止するとともに、周波数帯域Ｗｆ及びＷｒにおける基地局の同じ組に関して複数キャリア通信を開始するようにそれに指示するハンドメッセージを遠隔局に送信するインフラストラクチャを具備する。言い換えると、遠隔局は、すべての単一キャリア通信を停止して、フォワード及びリバースリンクに関して複数キャリアプロトコルのみを使用して通信するようにそれに指示するハンドオフメッセージが送信される。そのような実施形態において、インフラストラクチャは、遠隔局との通信のモードを周波数帯域Ｗｆ及びＷｒにおける複数キャリアプロトコルに切り換えるように、複数キャリア基地局ＢＳ３の組に対して指示する。
【００９９】
その基地局のネイティブプロトコルにおける１つのタイプの基地局とのみ通信するように遠隔局に対して指示する次のハンドオフは、混成管轄エリアから点５３０などの複数キャリア管轄エリアに移動する遠隔局に限定されない。むしろ、単一キャリアプロトコルにおける単一キャリア基地局とのみ通信するように遠隔局に対して指示する次のハンドオフメッセージは、遠隔局が混成管轄エリアから点５５０などの単一キャリア管轄エリアに移動するときに使用されるべきである。
【０１００】
フォワードリンク送信が複数キャリアプロトコルに関わる（すなわち、第３−第５実施形態）上記した任意のハンドオフ実施形態に対して提供されない１つの事項は、単一キャリア及び複数キャリア基地局の両方からのフォワードリンクパスダイバーシチである。しかしながら、以下に述べるハンドオフ実施形態において、単一キャリア及び複数キャリア基地局の両方からのフォワードリンクパスダイバーシチは少なくとも部分的には達成される。これは、単一キャリア周波数帯域Ｎｆにおける遠隔局に信号を送信するために単一キャリア基地局ＢＳ１を構成することによって達成される。ここで、送信された信号は、複数キャリアプロトコルに従って生成された信号の一部である。複数キャリアプロトコルに従って生成された信号の一部を単一キャリア周波数帯域において送信することについての概略は以下で説明する。
【０１０１】
複数キャリア周波数帯域は論理的にいくつかの部分に分割され、それぞれは単一キャリア周波数帯域の周波数帯域幅をもつ。ＮｆがＷｆ内に含まれ、単一キャリア送信が１Ｘプロトコルを使用して実行され、複数キャリア送信が３Ｘプロトコルを使用して実行される例示的なシステムにおいて、複数キャリア帯域Ｗｆは、Ｗｆa、Ｗｆb、及びＷｆcと呼ばれる３つの副帯域に分割され、各副帯域は、Ｎｆのそれに等しい幅を持つ。一例として、Ｎｆは、Ｗｆcと同じ周波数帯域である。しかしながら、当業者ならば、ＮｆはＷｆ内の任意の位置におくことができることを理解するであろう。図１７（ａ）は、この例示的な場合を示しており、Ｗｆは、それぞれが等しい幅の３つの副帯域に分割される。ここで、第３の副帯域、Ｗｆc は、単一キャリア周波数帯域Ｎｆと同じ周波数帯域である。図１７（ａ）は、Ｗｆにおいて送信される、例示的な複数キャリア信号Ｓを示す。信号Ｓも同様にして、それぞれが各々の副帯域を介して送信される３つの副信号Ｓa、Ｓb、Ｓc に分割される。この場合、Ｓc は、周波数帯域Ｎｆ（Ｗｆc としても知られる）を介して送信される。以下に記載するハンドオフ実施形態において、全体の複数キャリア信号、信号Ｓは、複数キャリア基地局によって周波数帯域Ｗｆにおいて送信される。Ｓc は、周波数帯域Ｎｆにおいて送信される複数キャリアプロトコルに従って生成される信号Ｓの一部である。以下に述べるハンドオフ実施形態において、信号の個の部分に対するパスダイバーシチを獲得するために、単一キャリアプロトコルに従って周波数帯域Ｎｆにおける信号を送信している単一キャリア基地局ＢＳ１は、複数キャリア基地局によって周波数帯域Ｎｆにおいて送信された複数キャリア信号の一部を付加的に送信する。例えば、図１７（ａ）に示すように、信号が生成されて送信されたならば、以下に述べるハンドオフ実施形態において、部分Ｓc は、図１７（ｂ）において示されているように、単一キャリア基地局によって送信される。
【０１０２】
図１８は、第６ハンドオフ実施形態のハンドオフにおける遠隔局を示す。第６ハンドオフ実施形態は、第３ハンドオフ実施形態のすべての通信経路をもつとともに、単一キャリア基地局ＢＳ１と遠隔局との間の単一キャリアフォワードリンク通信経路を有する。図に示すように、複数キャリア信号の一部Ｓc は、これらの単一フォワードリンク通信経路を介して送信される。部分Ｓc はまた、複数キャリア基地局ＢＳ３によって送信される複数キャリア信号の一部として送信される。第６ハンドオフ実施形態は、第３ハンドオフ実施形態のすべての利点を有するが、それに加えて、それは、複数キャリア及び単一キャリア基地局の両方によって送信される複数キャリア信号の一部のために、単一キャリア基地局からの付加的なフォワードリンクパスダイバーシチを獲得する。
【０１０３】
本発明の第６ハンドオフ実施形態において、複数キャリアハンドオフ候補は、Ｎｒにおける単一キャリアプロトコルに従ってデータの送信を継続するとともに、少なくとも１つの複数キャリア基地局ＢＳ３からＷｆにおける複数キャリアプロトコルに従ってデータの受信を開始するように、遠隔局に対して指示するハンドオフメッセージが送信される。ハンドオフメッセージは、少なくとも１つの単一キャリア基地局ＢＳ１からＮｆにおける複数キャリアプロトコルに従ってデータの受信を開始するように、遠隔局に対して指示する。一実施形態において、遠隔局は、単一キャリア周波数帯域において発生する信号の一部のみを復号するように支持されるが、これは、単一キャリア基地局ＢＳ１が複数キャリア信号の一部のみを送信するからである。他の実施形態において、遠隔局は単に、単一キャリア基地局ＢＳ１からの全体の複数キャリア信号を復号するように指示される。そのような実施形態において、遠隔局はＢＳ１からの予期される全部の複数キャリア信号を復号することができず、ＢＳ１によって送信された一部のみを復号するが、信号の一部の欠如は、ＢＳ３から受信した全部の複数キャリア信号を復号するときに遠隔局に悪影響を与えることはない。
【０１０４】
第６ハンドオフ実施形態において、遠隔局は、それがハンドオフの前にデータの送信のために使用したように、ハンドオフの後にデータの送信のために同じ周波数帯域Ｎｒを使用する。そのような実施形態において、インフラストラクチャは、周波数帯域Ｗｆにおける複数キャリアプロトコルを使用してフォワードリンクに関して遠隔局へのデータの送信を開始するように、これらの複数キャリア基地局ＢＳ３に対して指令する。さらには、インフラストラクチャは、周波数帯域Ｎｒにおける単一キャリアプロトコルに従って遠隔局からのリバースリンク送信の受信を開始するように、これらの複数キャリア基地局ＢＳ３に対して指示する。また、インフラストラクチャは、複数キャリアプロトコルに従って信号の生成を開始するとともに、複数キャリア基地局ＢＳ３によって周波数帯域Ｎｆにおいて同様に送信されるこれらの信号のそれぞれの一部を周波数帯域Ｎｆにおいて送信するように、これらの単一キャリア基地局ＢＳ１に対して指示する。単一キャリア基地局ＢＳ１は、遠隔局から周波数帯域Ｎｒにおいて単一キャリア通信の受信を継続するように、（指令によって）能動的に、または（指令無しに）受動的に指示される。
【０１０５】
上記は、例えば、点５２０で起こる、単一キャリア管轄から混成管轄（単一キャリア基地局の管轄と複数キャリア基地局の管轄の両方のエリア）へのハンドオフを記載しているが、当業者ならば、複数キャリア管轄から点５４０または点５４８などのような、混成管轄へハンドオフするのに同様の方法が使用可能であることを認識するであろう。
【０１０６】
第６ハンドオフ実施形態において、遠隔局がいったん、点５３０などのような、それがもはや単一キャリア基地局ＢＳ１の管轄内ではない点に移動すると、通信モードを単一キャリアから複数キャリアに切り換える次のハンドオフが発生する。この次のハンドオフは、少なくとも１つの複数キャリア基地局ＢＳ３の組との単一キャリア通信を停止するとともに、周波数帯域Ｗｆ及びＷｒにおける基地局の同じ組に関して複数キャリア通信を開始するようにそれに指示するハンドメッセージを遠隔局に送信するインフラストラクチャを具備する。言い換えると、遠隔局は、すべての単一キャリア通信を停止して、フォワード及びリバースリンクに関して複数キャリアプロトコルのみを使用して通信するようにそれに指示するハンドオフメッセージが送信される。そのような実施形態において、インフラストラクチャは、遠隔局との通信のモードを周波数帯域Ｗｆ及びＷｒにおける複数キャリアプロトコルに切り換えるように、複数キャリア基地局ＢＳ３の組に対して指示する。
【０１０７】
その基地局のネイティブプロトコルにおける１つのタイプの基地局とのみ通信するように遠隔局に対して指示する次のハンドオフは、混成管轄エリアから点５３０などの複数キャリア管轄エリアに移動する遠隔局に限定されない。むしろ、単一キャリアプロトコルにおける単一キャリア基地局とのみ通信するように遠隔局に対して指示する次のハンドオフメッセージは、遠隔局が混成管轄エリアから点５５０などの単一キャリア管轄エリアに移動するときに使用されるべきである。
【０１０８】
図１９は、第７ハンドオフ実施形態のハンドオフにおける遠隔局を示す。第７ハンドオフ実施形態は、第４ハンドオフ実施形態のすべての通信経路を有し、加えて、単一キャリア基地局と遠隔局との間の単一キャリアフォワードリンク通信経路を有する。図に示すように、複数キャリア信号の一部Ｓc がこれらの単一キャリアフォワードリンク通信経路を介して送信される。部分Ｓc は、複数キャリア基地局ＢＳ３によって送信される複数キャリア信号の一部として送信される。第７ハンドオフ実施形態は、第４ハンドオフ実施形態のすべての利点を有し、加えて、それは、複数キャリア及び単一キャリア基地局の両方によって送信される複数キャリア信号の一部に対してフォワードリンクパスダイバーシチを獲得するという利点を有する。
【０１０９】
第７ハンドオフ実施形態において、インフラストラクチャは、（第４ハンドオフ実施形態に関して説明された）周波数帯域Ｎｒａにおける単一キャリアプロトコルに従ったデータの送信を開始するとともに、少なくとも１つの複数キャリア基地局ＢＳ３から周波数帯域Ｗｆにおける複数キャリアプロトコルに従ったデータの受信を開始するように、ハンドオフメッセージを介して、遠隔局に対して指示する。ハンドオフメッセージはまた、少なくとも１つの単一キャリア基地局ＢＳ１からＮｆにおける複数キャリアプロトコルに従ったデータの受信を開始するように、遠隔局に対して指示する。一実施形態において、遠隔局は、単一キャリア周波数帯域において発生する信号の一部のみを復号するように指示されるが、これは、単一キャリア基地局ＢＳ１は複数キャリア信号の一部のみを送信するからである。他の実施形態において、遠隔局は単に一キャリア基地局ＢＳ１から全部の複数キャリア信号を復号するように指示される。そのような実施形態において、遠隔局は、ＢＳ１からの予期されるすべての複数キャリア信号を復号することができず、ＢＳ１によって送信された部分のみを復号するが、信号の一部の欠如は、ＢＳ３から受信した全部の複数キャリア信号を復号するときに、遠隔局に悪影響を与えない。
【０１１０】
第７実施形態において、インフラストラクチャは、周波数帯域Ｗｆにおける複数キャリアプロトコルを使用して、フォワードリンクに関して遠隔局へのデータの送信を開始するように、これらの複数キャリア基地局ＢＳ３に対して指示する。さらに、インフラストラクチャは、周波数帯域Ｎｒａにおける単一キャリアプロトコルに従って遠隔局からのリバースリンク送信の受信を開始するように、これらの複数キャリ基地局ＢＳ３に指示する。また、インフラストラクチャは、複数キャリアプロトコルに従った信号の生成を開始するとともに、複数キャリア基地局ＢＳ３によって周波数帯域Ｎｆにおいて同様にして送信される信号のそれぞれの一部を周波数帯域Ｎｆにおいて送信するように、これらの単一のキャリア基地局ＢＳ１に対して指示する。同様にして、インフラストラクチャは、遠隔局からのリバースリンク送信の受信を周波数帯域Ｎｒから周波数帯域Ｎｒａへと切り換えるようにハンドオフに関わっているこれらの単一キャリア基地局ＢＳ１に対して指示する。
【０１１１】
以上、例えば、点５２０で発生する、単一キャリア管轄から混成管轄（単一キャリア基地局の管轄及び複数キャリア基地局の管轄の両方に属するエリア）へのハンドオフについて説明したが、当業者ならば、点５４０または点５４８などにおいて、同様の方法が複数キャリア管轄から混成管轄へハンドオフするのに使用可能であることを認識するであろう。
【０１１２】
第７ハンドオフ実施形態において、遠隔局が、それが点５３０などの単一キャリア基地局ＢＳ１の管轄にもはや存在しない点にいったん移動したならば、通信のモードを単一キャリアから複数キャリアへ切り換える次のハンドオフが発生する。この次のハンドオフは、少なくとも１つの複数キャリア基地局ＢＳ３の組との単一キャリア通信を停止するとともに、周波数帯域Ｗｆ及びＷｒにおける基地局の同じ組に関して複数キャリア通信を開始するようにそれに指示するハンドメッセージを遠隔局に送信するインフラストラクチャを具備する。言い換えると、遠隔局は、すべての単一キャリア通信を停止して、フォワード及びリバースリンクに関して複数キャリアプロトコルのみを使用して通信するようにそれに指示するハンドオフメッセージが送信される。そのような実施形態において、インフラストラクチャは、遠隔局との通信のモードを周波数帯域Ｗｆ及びＷｒにおける複数キャリアプロトコルに切り換えるように、複数キャリア基地局ＢＳ３の組に対して指示する。
【０１１３】
その基地局のネイティブプロトコルにおける１つのタイプの基地局とのみ通信するように遠隔局に対して指示する次のハンドオフは、混成管轄エリアから点５３０などの複数キャリア管轄エリアに移動する遠隔局に限定されない。むしろ、単一キャリアプロトコルにおける単一キャリア基地局とのみ通信するように遠隔局に対して指示する次のハンドオフメッセージは、遠隔局が混成管轄エリアから点５５０などの単一キャリア管轄エリアに移動するときに使用されるべきである。
【０１１４】
図２０は、第８ハンドオフ実施形態のハンドオフにおける遠隔局を示す。第８ハンドオフ実施形態は、第５ハンドオフ実施形態のすべての通信経路をもつとともに、単一キャリア基地局ＢＳ１と遠隔局との間の単一キャリアフォワードリンク通信経路を有する。図に示すように、複数キャリア信号の一部Ｓc は、これらの単一フォワードリンク通信経路を介して送信される。部分Ｓc はまた、複数キャリア基地局ＢＳ３によって送信される複数キャリア信号の一部として送信される。第８ハンドオフ実施形態は、第５ハンドオフ実施形態のすべての利点を有するが、それに加えて、それは、複数キャリア及び単一キャリア基地局の両方によって送信される複数キャリア信号の一部のために、単一キャリア基地局からの付加的なフォワードリンクパスダイバーシチを獲得する。
【０１１５】
この実施形態において、インフラストラクチャは、（第４ハンドオフ実施形態に関して記載された）周波数帯域Ｎｒａにおける単一キャリアプロトコルに従ったデータの送信を開始するとともに、少なくとも１つの複数キャリア基地局ＢＳ３からの周波数帯域Ｗｆにおける複数キャリアプロトコルに従ったデータの受信を開始するように、ハンドオフメッセージを介して遠隔局に対して指示する。また、ハンドオフメッセージは、少なくとも１つの単一キャリア基地局ＢＳ１から複数キャリアプロトコルに従ったデータの受信を開始するように、遠隔局に指示する。一実施形態において、遠隔局は、単一キャリア周波数帯域において発生する信号の一部のみを復号するように指示されるが、これは、単一キャリア基地局ＢＳ１は、複数キャリア信号の一部のみを送信するからである。他の実施形態において、遠隔局は単に、単一キャリア基地局ＢＳ１からの全体の複数キャリア信号を復号するように指示される。そのような実施形態において、遠隔局はＢＳ１からの予期される全部の複数キャリア信号を復号することができず、ＢＳ１によって送信された一部のみを復号するが、信号の一部の欠如は、ＢＳ３から受信した全部の複数キャリア信号を復号するときに遠隔局に悪影響を与えることはない。  そのような実施形態において、インフラストラクチャは、周波数帯域Ｗｆにおける複数キャリアプロトコルを使用してフォワードリンクに関して遠隔局へのデータの送信を開始するように、これらの複数キャリア基地局ＢＳ３に対して指示する。さらには、インフラストラクチャは、周波数帯域Ｎｒａにおける単一キャリアプロトコルに従って遠隔局からのリバースリンク送信の受信を開始するように、これらの複数キャリア基地局ＢＳ３に対して指示する。また、インフラストラクチャは、複数キャリアプロトコルに従って信号の生成を開始するとともに、複数キャリア基地局ＢＳ３によって周波数帯域Ｎｆにおいて同様に送信されるこれらの信号のそれぞれの一部を周波数帯域Ｎｆにおいて送信するように、これらの単一キャリア基地局ＢＳ１に対して指示する。単一キャリア基地局ＢＳ１は、遠隔局からの単一キャリア通信の受信を停止するように指示される。
【０１１６】
上記は、例えば、点５２０で起こる、単一キャリア管轄から混成管轄（単一キャリア基地局の管轄と複数キャリア基地局の管轄の両方のエリア）へのハンドオフを記載しているが、当業者ならば、複数キャリア管轄から点５４０または点５４８などのような、混成管轄へハンドオフするのに同様の方法が使用可能であることを認識するであろう。
【０１１７】
第８ハンドオフ実施形態において、遠隔局がいったん、点５３０などのような、それがもはや単一キャリア基地局ＢＳ１の管轄内ではない点に移動すると、通信モードを単一キャリアから複数キャリアに切り換える次のハンドオフが発生する。この次のハンドオフは、少なくとも１つの複数キャリア基地局ＢＳ３の組との単一キャリア通信を停止するとともに、周波数帯域Ｗｆ及びＷｒにおける基地局の同じ組に関して複数キャリア通信を開始するようにそれに指示するハンドメッセージを遠隔局に送信するインフラストラクチャを具備する。言い換えると、遠隔局は、すべての単一キャリア通信を停止して、フォワード及びリバースリンクに関して複数キャリアプロトコルのみを使用して通信するようにそれに指示するハンドオフメッセージが送信される。そのような実施形態において、インフラストラクチャは、遠隔局との通信のモードを周波数帯域Ｗｆ及びＷｒにおける複数キャリアプロトコルに切り換えるように、複数キャリア基地局ＢＳ３の組に対して指示する。
【０１１８】
その基地局のネイティブプロトコルにおける１つのタイプの基地局とのみ通信するように遠隔局に対して指示する次のハンドオフは、混成管轄エリアから点５３０などの複数キャリア管轄エリアに移動する遠隔局に限定されない。むしろ、単一キャリアプロトコルにおける単一キャリア基地局とのみ通信するように遠隔局に対して指示する次のハンドオフメッセージは、遠隔局が混成管轄エリアから点５５０などの単一キャリア管轄エリアに移動するときに使用されるべきである。以下の例４は、このことを説明している。
【０１１９】
図２１は、非均質なネットワークに対して上記したハンドオフ実施形態のそれぞれを実行するのに使用される手順のフローチャートである。ブロック２１１０において、各基地局は当業者に良く知られた方法を使用して隣接基地局のリストを生成する。処理は次にブロック２１２０に進む。
【０１２０】
ブロック２１２０において、各基地局は、隣接基地局のリストを含む隣接リストメッセージを送信する。隣接リストメッセージは、隣接基地局の各々のパイロットオフセットを示し、各隣接パイロット信号が送信される周波数を明示的あるいは暗黙に示している。さらに、隣接リストは、それが単一キャリア基地局かあるいは複数キャリア基地局か、などの各隣接基地局についての付加的情報や、それが通信のために使用する周波数帯域を示している。さらに、この付加的情報は、ページングチャネル等の，他のチャネルに関して送信される。処理は次にブロック２１３０に進む。
【０１２１】
ブロック２１３０において、遠隔局は、隣接リストメッセージを受信して、隣接リストメッセージによって示される周波数及びパイロットオフセットでパイロットを監視する。遠隔局は、それが検出しようとしているパイロットの信号強度測定値を収集し、この情報を信号強度測定メッセージ内に配置した後、それを送信する。一実施形態において、遠隔局は、（当業者に知られているように、予め決められたＥｃ／Ｉｏしきい値などの）予め決められたしきい値より上で受信された信号に対する信号強度測定メッセージにおける情報のみを送信する。パイロット強度情報を含む信号強度測定メッセージを生成するための方法及び装置は、米国特許出願第０９／５０２２７９（出願日：２／１０／２０００、名称：“パイロット強度測定メッセージを生成するための方法及び装置”）に開示されており、本発明の譲受人に譲渡され、その全体がここに参照として組み込まれている。パイロット強度情報を含む信号強度測定メッセージを生成するための他の方法は、当業者に知られている。処理は次にブロック２１４０に進む。
【０１２２】
ブロック２１４０において、基地局は、信号強度測定メッセージを受信する。これらの基地局は、ハンドオフを行なうＢＳＣに信号強度測定値を提供する。処理は次にブロック２１５０に進む。
【０１２３】
ブロック２１５０において、ＢＳＣは、遠隔局から受信した信号強度測定値に従って遠隔局との通信の現在の状態を検査し、これらを新たなアクティブセット、遠隔局が通信すべき基地局の組、そして、上記の実施形態の１つに従ってハンドオフを開始すべきかどうか、を決定するのに使用する。例えば、遠隔局の現在の状態が、狭帯域基地局とのみ通信を行なっており、受信信号強度測定値は、遠隔局が単一キャリア基地局と複数キャリア基地局の両方から強いパイロット信号測定値を受信していることを示しているならば、ＢＳＣは上記した実施形態のハンドオフを開始する。
【０１２４】
新たなアクティブセットが単一キャリア基地局のみを含み、かつ、遠隔局が現在のところ単一キャリア基地局のみと通信を行なっており、さらに、これらの通信が単一キャリアプロトコルを利用するならば、ハンドオフが実行されるとしても、それは、上記の実施形態のそれとは異なるハンドオフである。同様にして、新たなアクティブセットが複数キャリア基地局のみを含み、かつ、遠隔局が現在のところ複数キャリア基地局のみと通信を行なっており、さらに、これらの通信が複数キャリアプロトコルを利用するならば、ハンドオフが実行されるとしても、それは、上記の実施形態のそれとは異なるハンドオフである。これらの場合には、処理はブロック２１１０に進む。
【０１２５】
他のすべての場合には、上記した実施形態のハンドオフが実行され、処理はブロック２１６０に進む。ブロック２１６０において、ＢＳＣは、ハンドオフを実行するために遠隔局に対する指令を含むハンドオフメッセージを遠隔局に送信するように、少なくとも１つの基地局に対して指示する。一実施形態において、遠隔局が現在通信を行なっているすべての基地局は、遠隔局に対して、新たなアクティブセットに対するハンドオフを実行するために遠隔局に対する指示を含むハンドオフメッセージを送信する。遠隔局の無線伝搬環境に応じて、かつ、上記実施形態のうちどの特定のハンドオフ実施形態をキャリアが使用することを望むか、に応じて、ハンドオフメッセージは、選択された特定のハンドオフ実施形態に関して記載したように、適切なサブセットのハンドオフ指示を含む（すなわち、所定のキャリアは、第１〜第８のハンドオフ実施形態の任意の１つを使用するかどうかを選択できる）。種々のハンドオフ実施形態の記載に関して説明したように、実行されるハンドオフは、無線信号に関して遠隔局の位置に依存し、それは任意の時間で遠隔局の組から受信することができる。
【０１２６】
例えば、キャリアが第８ハンドオフ実施形態を支持することを望むならば、ブロック２１６０で送信されたハンドオフメッセージは、第８ハンドオフ実施形態の記載に従った遠隔局の位置を基にしている。以下は、位置が第８ハンドオフ実施形態において送信されたメッセージにどのように影響するかを示す例である。
【０１２７】
例１：（単一キャリア管轄から混成管轄へ移行する）点５２０における遠隔局。遠隔局が点５２０でブロック２１３０に従って信号強度測定メッセージを送信したならば、第８実施形態の記載に従って、ハンドオフメッセージがブロック２１６０で送信され、（第４ハンドオフ実施形態に関して記載された）周波数帯域Ｎｒａにおける単一キャリアプロトコルに従ったデータの送信を開始するとともに、少なくとも１つの複数キャリア基地局ＢＳ３から周波数帯域Ｗｆにおける複数キャリアプロトコルに従ったデータの受信を開始するように、遠隔局に対して指示する。ハンドオフメッセージは、少なくとも１つの単一キャリア基地局ＢＳ１から単一キャリア周波数帯域Ｎｆにおける複数キャリアプロトコルに従ったデータの受信を開始するように、遠隔局に対して指示する。
【０１２８】
例２：（混成キャリア管轄から混成キャリアへ移行する）点５３０における遠隔局。遠隔局が点５３０でブロック２１３０に従って信号強度測定メッセージを送信したならば、第８実施形態の記載に従って、ハンドオフメッセージがブロック２１６０で送信され、一組の少なくとも１つの複数キャリア基地局ＢＳ３との単一キャリア通信を停止するとともに、周波数帯域Ｗｆ及びＷｒにおける同じ組の基地局に関する複数キャリア通信を開始するように、遠隔局に対して指示する。
【０１２９】
例３：（複数キャリア管轄から混成キャリアへ移行する）点５４０における遠隔局。遠隔局が点５４０でブロック２１３０に従って信号強度測定メッセージを送信したならば、第８実施形態の記述に従って、ハンドオフメッセージがブロック２１６０で送信され、（第４ハンドオフ実施形態に関して記載された）周波数帯域Ｎｒａにおける単一キャリアプロトコルに従ったデータの送信を開始するとともに、少なくとも１つの複数キャリア基地局ＢＳ３から周波数帯域Ｗｆにおける複数キャリアプロトコルに従ったデーの受信を開始するように、遠隔局に対して指示する。ハンドオフメッセージは、少なくとも１つの単一キャリア基地局ＢＳ１からＮｆにおける複数キャリアプロトコルに従ったデータの受信を開始するように、遠隔局に対して指示する。
【０１３０】
例４：（混成管轄から単一キャリア管轄へ移行する）点５５０の近くの点における遠隔局。遠隔局が点５５０でブロック２１３０に従って信号強度測定メッセージを送信したならば、第８実施形態の記述に従って、ハンドオフメッセージがブロック２１６０で送信され、複数キャリアプロトコルを使用してすべての通信を停止するとともに、周波数帯域Ｎｆ及びＮｒにおける単一キャリア通信を使用して一組の少なくとも１つの単一キャリア基地局ＢＳ１とのみ通信するように、遠隔局に対して指示する。
【０１３１】
これらの特定された具体例は第８ハンドオフ実施形態に関連しているが、上記の８つすべてのハンドオフ実施形態の記載を一読すれば、当業者は、選択されたハンドオフ実施形態と、遠隔局から受信した信号強度測定値（これらの測定値は基地局コントローラが遠隔局の位置を推定することを可能にする）に基づいて、どのようなハンドオフメッセージがブロック２１６０において送信される必要があるかを認識するであろう。処理は次にブロック２１７０に進む。
【０１３２】
ブロック２１７０において、遠隔局の位置に従って、かつ、選択された特定のハンドオフ実施形態に従って、基地局コントローラは、同様に実行するように基地局に対して指示する。これらの指示は、ブロック２１６０において送信されたハンドオフメッセージに合致するものである。特定のハンドオフ実施形態に従って、１つまたはそれ以上の基地局が遠隔局との通信を休止または変更したならば、それらは、そのようにするように指示される。同様にして、特定のハンドオフ実施形態に従って、１つまたはそれ以上の基地局が遠隔局との通信を開始したならば、それらは、ブロック２１６０のハンドオフメッセージに従ってそのようにするように指示される。
【０１３３】
例として、キャリアが第８ハンドオフ実施形態を支持することを要望し、かつ、遠隔局が点５２０にある、すなわち、ブロック２１６０の例１に関して記載されたハンドオフメッセージが送信されたならば、ブロック２７０において、基地局コントローラは、複数キャリアプロトコルに従ってフォワードリンクをデータ送信のための遠隔局に対して設定するとともに、（第４ハンドオフ実施形態に関して記載したように）周波数帯域Ｎｒａにおける単一キャリアプロトコルに従ってデータ送信を受信するための基地局に対してリバースリンクを設定するように、少なくとも１つの複数キャリア基地局ＢＳ３に対して指示する。さらに、基地局コントローラは、ハンドオフに先立って遠隔局との間で単一キャリアモードで通信していた少なくとも１つの単一キャリア基地局ＢＳ１に対して、遠隔局からのデータを受信することを停止して、遠隔局に対する通信のモードを、それが単一キャリア周波数帯域Ｎｆで複数キャリアプロトコルに従って生成された信号の一部を送信するモードに変更するように指示する。
【０１３４】
この特定の例は、遠隔局が単一キャリア管轄から混成管轄へ移動する状況における第８ハンドオフ実施形態に関連しているが、上記した８つすべての実施形態の記載を一読すれば、当業者ならば、基地局コントローラが、選択されたハンドオフ実施形態と（当業者に知られた手順を使用して信号強度測定値によって決定された）遠隔局の推定位置に基づいて、どのような指示をブロック２１７０において基地局に対して与えるかを認識するであろう。処理は次にブロック２１８０に進む。
【０１３５】
ブロック２１８０において、遠隔局は、ブロック２１６０において送信されたハンドオフメッセージを受信して、当該指示に従う。
【０１３６】
ブロック２１８０において、遠隔局は、ブロック２１６０において送信されるハンドオフメッセージを受信して、当該指示に従う。受信したハンドオフメッセージが、１つまたはそれ以上の基地局からの通信の受信を停止することを遠隔局に対して明示的にあるいは暗に指示しているものならば、遠隔局は、これらの基地局からのデータ通信の受信を停止する。また、遠隔局が１つ以上の基地局からの送信の聴取を開始することを指示されたならば、そのようにするであろう。ハンドオフメッセージが、受信モードを単一キャリアモードから複数キャリアモードへ切り換えるように遠隔局に対して指示するものならば、それはそのようにするであろう。逆に、ハンドオフメッセージが、受信モードを複数キャリアモードから単一キャリアモードへ切り換えるように遠隔局に対して指示するものならば、そのようにするであろう。
【０１３７】
ハンドオフメッセージが、送信モードを単一キャリアモードから複数キャリアモードへ切り換えるように遠隔局に対して指示するものならば、それはそのようにするであろう。逆に、ハンドオフメッセージが送信モードを複数キャリアモードから単一キャリアモードに切り換えるように遠隔局に対して指示するものならば、それはそのようにするであろう。さらに、ハンドオフメッセージが、（例えば第１から第８実施形態におけるＮｒ対Ｎｒａなど）特定の単一キャリア周波数帯域における単一キャリアモードでの送信するように遠隔局に対して指示するものならば、遠隔局は、特定の単一キャリア周波数帯域における単一キャリアにおけるデータの送信を開始するであろう。
【０１３８】
具体的な例として、キャリアが第８ハンドオフ実施形態を支持することを望み、かつ、遠隔局が点５２０にあった、すなわち、ブロック２１６０の例１に関連して記載されたハンドオフメッセージが送信されたならば、ブロック２１８０において、遠隔局は、（第４ハンドオフ実施形態に関連して記載されたような）周波数帯域Ｎｒａにおける単一キャリアプロトコルに従ってリバースリンクに関するデータの送信を開始するとともに、それは、受信のフォワードリンクモードをそれが複数キャリアプロトコルに従ってデータを受信するモードに切り換える。少なくとも１つの複数キャリア基地局ＢＳ３からの複数キャリア送信を受信することに加えて、遠隔局は、少なくとも１つの単一キャリア基地局ＢＳ１を介して送信された複数キャリアプロトコルに従って生成された信号の一部の受信を開始する。一実施形態において、遠隔局は、単一キャリア周波数帯域において発生する信号の一部のみを復号するように指示されるが、これは、単一キャリア基地局ＢＳ１は複数キャリア信号の一部のみを送信するからである。他の実施形態において、遠隔局は単に、単一キャリア基地局ＢＳ１からの複数キャリア信号の全体を復号するように指示される。そのような実施形態において、遠隔局は、ＢＳ１からの予期された全体の複数キャリア信号を復号することができず、ＢＳ１によって送信された一部のみを復号するが、信号の一部の欠如は、ＢＳ３から受信した全部の複数キャリア信号を復号するときに遠隔局に悪影響を与えることはない。
【０１３９】
この特定の例は、遠隔局が単一キャリア管轄から混成管轄へ移動する状況における第８ハンドオフ実施形態に関連しているが、上記した８つすべての実施形態の記載を一読すれば、当業者ならば、基地局コントローラが、選択されたハンドオフ実施形態と（当業者に知られた手順を使用して信号強度測定値によって決定された）遠隔局の推定位置に基づいて、どのような指示をブロック２１６０において基地局に対して与え、従って、ハンドオフメッセージの受信に応答してブロック２１８０において遠隔局が何を行うかを決定することができる、ことを認識するであろう。処理は次にブロック２１８０に進む。
【０１４０】
図２２において、基地局２２００は、メッセージ生成器２２２０において隣接リストメッセージを生成し、このメッセージを変調器２２３０に供給する。メッセージは変調器２２３０によって変調され、変調された信号をアップコンバートし、増幅した後、アンテナ２２５０を介して送信する送信器２２４０に供給する。
【０１４１】
一実施形態において、変調器２２３０は、複数モード変調器であり、単一キャリアプロトコルに従って変調を行うことができるとともに、複数キャリアプロトコルに従って変調を行うことができる。そのような一実施形態において、変調器２２３０は、１Ｘプロトコルに従って単一キャリア変調を実行するとともに、３Ｘプロトコルに従って複数キャリア変調を実行する。変調器２２３０が複数モード変調器であり、変調を実行する前に、コントロールプロセッサ２２６０は、１から８のハンドオフ実施形態に従って記載された、単一キャリアプロトコルまたは複数キャリアプロトコルに従ってそれがメッセージを変調すべきかどうかについて変調器２２３０に対して指示する。一実施形態において、変調器２２３０は、物理的に２つの別個の変調器からなり、１つは単一キャリア変調器であり、他の１つは複数キャリア変調器を実行する。コントロールプロセッサ２２６０は、内部メモリを含むかあるいは、それは、当業界でよく知られているように、（図示せぬ）外部メモリユニットにおけるメモリの値を設定しつつ取り出すことができる。
【０１４２】
一実施形態において、送信器２２４０は、複数キャリア周波数帯域において送信可能であり、かつ、（１Ｘに対して１．２５ＭＨｚなどの）単一キャリア周波数帯域において送信可能な複数モード送信器である。送信器２２４０が複数モード送信器である実施形態において、送信を実行するに先立って、コントロールプロセッサ２２６０は、それが単一キャリア周波数帯域でメッセージを送信するかまたは複数キャリア周波数帯域でメッセージを送信するかについて送信器２２４０に対して指示する。
【０１４３】
当業者ならば、コントロールプロセッサ２２６０は、フィールドプログラマブルゲートアレイ（ＦＰＧＡ）、プログラマブルロジック装置（ＰＬＤ）、デジタルシグナルプロセッサ（ＤＳＰ）、１つ以上のマイクロプロセッサ、特定用途向け集積回路（ＡＳＩＣ）あるいは上記した機能を実行可能な他の装置を使用して実行される。
【０１４４】
図２３において、送信された信号は、それがデュプレクサ２３９２を介して受信器２３９０に渡され、その信号がダウンコンバートされ、フィルタリングされ、増幅された後、遠隔局２３００のアンテナ２３９４によって受信される。受信器２３９０は、単一キャリア周波数帯域においてデータの受信が可能な複数モード受信器であり、複数キャリア周波数帯域におけるデータの受信が可能な複数モード受信器である。コントロールプロセッサ２３２０は、ハンドオフ実施形態１−８に従って、任意のときに単一キャリア受信モードであるべきか複数キャリア受信モードであるべきかを受信器２３９０に対して指示する。コントロールプロセッサ２３２０は、内部メモリを含むか、あるいは、それは、当業界で良く知られているような、（図示せぬ）外部メモリユニットにおけるメモリの値を設定して取り出すことができる。
【０１４５】
受信した信号は次に、復調器２３７０によって復調され、コントロールプロセッサ２３２０に供給される。復調器２３７０は、単一キャリアプロトコルに従って復調を実行可能であるとともに、複数キャリアプロトコルに従って復調を実行可能である。そのような１つの実施形態において、復調器２３７０は、１Ｘプロトコルに従って単一キャリア復調を実行するとともに、３Ｘプロトコルに従って複数キャリア復調を実行する。復調を実行するに先立って、コントロールプロセッサ２３２０は、ハンドオフ実施形態１から８に従って記載したように、それが単一キャリアプロトコル１Ｘに従ってメッセージを変調すべきかあるいは複数キャリアプロトコル３Ｘに従ってメッセージを変調すべきかについて復調器２３７０に対して指示する。
【０１４６】
復調器２３７０は、隣接リストメッセージを、サーチャ２３８０に調査を実行させる一連のコマンドを生成する。サーチャ２３８０は、一連の調査復調パラメータを復調器２３７０に供給する。復調された信号は、隣接リストの基地局のパイロットの強度を測定するパイロットエネルギー蓄積器２３３０に供給される。これらの隣接リストの各々のエネルギーは、測定されたエネルギーを所定のしきい値Ｔ＿ＡＤＤと比較するコントロールプロセッサ２３２０に供給される。コントロールプロセッサ２３２０は、どの隣接基地局の信号がしきい値Ｔ＿ＡＤＤを超えるかを示すメッセージを生成する。以下では、アクティブセットという術語は、これらの隣接基地局を識別するのに使用される。
【０１４７】
メッセージは変調器２３５０に供給され、そこで変調される。変調された信号は次に、送信器２３６０に供給され、そこでアップコンバートかつ増幅される。その後、それはデュプレクサ２３９２を介してアンテナ２３９４に送られて送信される。
【０１４８】
変調器２３５０は、単一キャリアプロトコルに従って変調を実行することができ、複数キャリアプロトコルに従って変調を実行することができる複数モード変調器である。そのような一実施形態において、変調器２３５０は、１Ｘプロトコルに従って単一キャリア変調を実行するとともに、３Ｘプロトコルに従って複数キャリア変調を実行する。変調器２３５０が複数モード変調器であり、変調を実行する前に、コントロールプロセッサ２３２０は、１から８のハンドオフ実施形態に従って記載された、単一キャリアプロトコルまたは複数キャリアプロトコルに従ってそれがメッセージを変調すべきかどうかについて変調器２３５０に対して指示する。一実施形態において、変調器２３６０は、（１Ｘに対して１．２５ＭＨｚなどの）単一キャリア周波数帯域における送信が実行可能であり、（３Ｘに対する３つの１．２５ＭＨｚチャンクなどのような）多数キャリア周波数帯域における送信が実行可能な複数モード送信器である。そのような一実施形態において、コントロールプロセッサ２３２０は、単一キャリア周波数帯域において送信すべきかまたは複数キャリア周波数帯域において送信すべきかを送信器２３２０に指示する。遠隔局がそれが存在している管轄エリアに従って、２つの単一キャリア周波数（例えばＮｒまたはＮｒａ）の１つにおいて、送信することができる第４及び第７ハンドオフ実施形態を支持するのに使用可能な実施形態において、コントロールプロセッサ２３２０は、どの周波数帯域で送信すべきかについて送信器２３６０に指示する。
【０１４９】
図２２に戻って、隣接基地局の強度を示すメッセージは、基地局２２００のアンテナ２２９０によって受信される。当該信号は受信器２２８０によってダウンコンバートされかつ増幅された後、復調器２２７０に供給される。復調器２２７０は、当該信号を復調してその結果をコントロールプロセッサ２２６０に供給する。コントロールプロセッサ２２６０は、その調査の結果を示す遠隔局２３００によって送信されるメッセージ内の情報に従ってＢＳＣに対するアクティブセットリストを生成する。例示的な実施形態において、アクティブセットリストは、遠隔局２３００によって監視されたときに、その信号がエネルギしきい値Ｔ＿ＡＤＤを超えるすべての基地局から構成される。
【０１５０】
一実施形態において、受信器２２８０は、複数キャリア周波数帯域及び単一キャリア周波数帯域の両方においてデータを受信することができる。そのような実施形態において、コントロールプロセッサ２２６０は、複数キャリア周波数帯域において受信するかあるいは単一キャリア周波数帯域において受信するかを受信器２２８０に対して指示する。第４及び第７ハンドオフ実施形態を指示するのに使用される実施形態において、基地局は、遠隔局が、２つの単一キャリア周波数（例えばＮｒまたはＮｒａ）の１つにおいて送信することを予期するとともに、コントロールプロセッサ２２６０は、どの周波数帯域において受信するのかについて受信器２２８０に対して指示する。
【０１５１】
コントロールプロセッサ２２６０は、アクティブセットリストを、当該アクティブセットリストを示すメッセージをＢＳＣに転送するインタフェース２２１０に送信する。インタフェース２２１０は、基地局とＢＳＣ間の通信を可能にする任意のインタフェースである。中央集権化されたシステムにおいて、そのようなインタフェースは当業界で既知であり、イーサネットインタフェース、Ｔ１インタフェース、Ｅ１インタフェース、ＡＴＭインタフェース、そしてマイクロ波インタフェースを含むが、それらに限定されない。分散されたシステムにおいて、インタフェース２２１０は、単なるメモリバスかあるいは共有メモリのエリアである。可能な容量問題について、ＢＳＣはアクティブセットリストにおける基地局のサブセットに関してフォワードリンクチャネルを提供する。アクティブセットリストに従い、かつ、使用されるハンドオフ実施形態に従って各基地局２２００に関してフォワードリンクチャネルが設定される。加えて、アクティブセットリストに従い、かつ、使用されるハンドオフ実施形態に従って各基地局２２００に関してリバースリンクチャネルが設定される。上記したハンドオフ実施形態について、これらの基地局に関してリバースリンクチャネルを設定することなしにある基地局についてフォワードリンクチャネルを設定することが可能である（例えば、第８ハンドオフ実施形態）。また、上記したハンドオフ実施形態について、これらの基地局に関してフォワードリンクチャネルを設定することなしにある基地局についてリバースリンクチャネルを設定することが可能である（例えば、第３及び第４ハンドオフ実施形態）。
【０１５２】
一実施形態において、コントロールプロセッサ２２６０は、アクティブセットリストをメッセージ生成器２２２０に供給する。結果的なハンドオフメッセージは、変調器２２３０によって変調され、上記した方法で送信される。一実施形態において、ハンドオフメッセージは、遠隔局がその周波数で受信及び送信を開始すべきか及び、データを単一キャリアフォーマット（例えば１Ｘ）で変調すべきかまたは複数キャリアフォーマット（例えば３Ｘ）で変調すべきかを明示的に記載している。そのようなハンドオフメッセージは、使用されるハンドオフ実施形態に従って生成される。一実施形態において、ハンドオフメッセージは、遠隔局がどの基地局と通信を行なうのかを単に記載しているのみであり、遠隔局は、各基地局の機能を詳細に記載している他のメッセージの受信から、どの周波数で通信するのかを暗に判断することができる。
【０１５３】
他の実施形態において、図２４に示す、ＢＳＣ２４００のコントロールプロセッサ２４２０は、アクティブセットリストに従って及び使用されているハンドオフメッセージに従ってハンドオフメッセージを生成する。そのような実施形態において、コントロールプロセッサ２４２０は、生成されたハンドオフメッセージを、遠隔局が現在通信を行なっている各基地局２２００に送信する。コントロールプロセッサ２４２０は、ＢＳＣインタフェース２４１０を介して基地局２２００にハンドオフメッセージを送信する。そのような実施形態において、各コントロールプロセッサ２２６０は、インタフェース２２１０を介してＢＳＣによって生成されたハンドオフメッセージを受信する。そのような実施形態において、基地局２２００の制御プロセッサ２２６０は、ハンドオフメッセージを、当該ハンドオフメッセージを変調して上記した方法で送信する変調器２２３０に供給する。
【０１５４】
インタフェース２４１０は、基地局及びＢＳＣ間の通信を可能にするインタフェースである。中央集権化されたシステムにおいて、そのようなインタフェースは、当業界において既知であり、イーサネットインタフェース、Ｔ１インタフェース、Ｅ１インタフェース、ＡＴＭインタフェース、そしてマイクロ波インタフェースを含むが、それらに限定されるものではない。分散されたシステムにおいて、インタフェース２４１０は、単なるメモリバスかあるいは共有メモリのエリアである。コントロールプロセッサ２４２０は、内部メモリを含むかあるいは、それは、当業界でよく知られているように、（図示せぬ）外部メモリユニットにおけるメモリの値を設定しつつ取り出すことができる。当業者ならば、コントロールプロセッサ２４２０は、フィールドプログラマブルゲートアレイ（ＦＰＧＡ）、プログラマブルロジック装置（ＰＬＤ）、デジタルシグナルプロセッサ（ＤＳＰ）、１つ以上のマイクロプロセッサ、特定用途向け集積回路（ＡＳＩＣ）あるいは上記した機能を実行可能な他の装置を使用して実装されることを認識するであろう。
【０１５５】
遠隔局２３００は、アンテナ２３９４によってメッセージを受信し、上記した方法で信号を復調し、当該メッセージをコントロールプロセッサ２３２０に供給する。コントロールプロセッサ２３２０は次に、アクティブセットリストに関する情報を復調器２３７０及び受信器２３９０に供給し、アクティブセットリストにおける基地局のパラメータを使用してハンドオフが企てられる。この例において、アクティブセットは、遠隔局２３００によって生成された以前の情報に基づいているので、また、それはしばしばリスト上の局を先見的に知っているので、遠隔局２３００はアクティブセットリストを受信する必要がない。すなわち、他の実施形態では、遠隔局は所定の時間間隔を遅延させてその信号がしきい値を超える基地局に対するハンドオフを実行する。一方、アクティブセットがしきい値を超える基地局の単なる複写ではなく、他の基地局の容量パラメータなどの、遠隔局に対して未知のパラメータを考慮に入れるならば、メッセージの送信は価値のあるものとなるだろう。
【０１５６】
当業者ならば、コントロールプロセッサ２３２０は、フィールドプログラマブルゲートアレイ（ＦＰＧＡ）、プログラマブルロジック装置（ＰＬＤ）、デジタルシグナルプロセッサ（ＤＳＰ）、１つ以上のマイクロプロセッサ、特定用途向け集積回路（ＡＳＩＣ）あるいは上記した機能を実行可能な他の装置を使用して実行される。
【０１５７】
実施形態の前記した記載は、当業者が本発明を作成または使用可能にするために提供されたものである。これらの実施形態に対する種々の変形例が当業者にとって容易に明らかであり、ここに規定された一般的な原理は、発明能力を使用することなしに他の実施形態にも適用可能である。同様にして、ここに開示された種々の方法は、発明能力を使用することなしに任意の方法で互いに組み合わせることができる。すなわち、本発明は、ここに開示された実施形態に限定されることはなく、開示された原理と新規な特徴とに一致した最大の権利範囲が与えられるべきである。
【図面の簡単な説明】
本発明の特徴、目的及び利点は、図面を参照した以下の詳細な説明によってより明らかになる。ここで、同じ参照符号は明細書全体に渡って同じものを意味するものとする。
【図１】  フォワードリンクに関して複数キャリア送信を、リバースリンクに関して単一キャリア送信を使用する例示的な簡略化されたセルラ電話システムのブロック図である。ここで、３Ｘプロトコルはフォワードリンクに関して使用され、１Ｘプロトコルはリバースリンクに関して使用される。
【図２】  フォワードリンクに関して単一のキャリア送信を使用し、リバースリンクに関して単一のキャリア送信を使用する例示的な簡略化されたセルラ電話システムのブロック図である。
【図３】  フォワードリンクに関して複数キャリア送信を、リバースリンクに関して複数キャリア送信を使用する例示的な簡略化されたセルラ電話システムのブロック図である。
【図４】  単一キャリアサービスと複数キャリアサービスとの混成配置の間におけるスペクトル拡散システムの管轄の例示的な実施形態の簡略化されたネットワーク図である。
【図５】  図４の簡略化されたネットワーク図の一部を示すとともに、ネットワーク全体を移動する例示的な遠隔局の経路を示す図である。
【図６】  ２つの単一キャリ基地局ＢＳ１と通信する複数キャリアハンドオフ候補である遠隔局の通信経路の例示的な図である。
【図７】  第１のハンドオフの実施形態におけるハンドオフ時の例示的な通信経路の図である。
【図８】  第２のハンドオフの実施形態におけるハンドオフ時の例示的な通信経路の図である。
【図９】  スペクトル密度及び例示的な単一キャリアプロトコルを使用してＮ情報ビットを送信するのに使用される関連送信電力の一例を含む図である。
【図１０】  （ａ）は、スペクトル密度及び例示的な単一キャリアプロトコルを使用してＮ情報ビットを同時に送信するとともに例示的な複数キャリアプロトコルを使用してＮ情報ビットを送信するのに第１実施形態において使用される関連送信電力の一例を含む。
（ｂ）は、スペクトル密度及び例示的な単一キャリアプロトコルを使用してＮ情報ビットを同時に送信するとともに例示的な複数キャリアプロトコルを使用してＮ情報ビットを送信するのに第２実施形態において使用される関連送信電力の一例を含む。
【図１１】  スペクトル密度及び例示的な複数キャリアプロトコルを使用してＮ情報ビットを送信するのに使用される関連フォワードリンク送信電力の一例を含む。
【図１２】  スペクトル密度及び例示的な単一キャリアプロトコルを使用してＮ情報ビットを同時に送信するとともに例示的な複数キャリアプロトコルを使用してＮ情報ビットを送信するのに第１実施形態において使用される関連フォワードリンク送信電力の一例を含む。
【図１３】  第３のハンドオフ実施形態におけるハンドオフ時の例示的な通信経路の図である。
【図１４】  スペクトル密度及び各遠隔局と通信するための例示的な複数キャリアプロトコルを使用してＮ情報ビットを２つの遠隔局に送信するのに使用される関連フォワードリンク送信電力の一例を含む。
【図１５】  第４のハンドオフ実施形態におけるハンドオフ時の例示的な通信経路の図である。
【図１６】  第５のハンドオフ実施形態におけるハンドオフ時の例示的な通信経路の図である。
【図１７】  （ａ）は、送信された複数キャリア信号の一例を含む。
（ｂ）は、単一キャリア周波数帯域において送信される（ａ）に示される複数キャリア信号の一部の一例を含む。
【図１８】  第６のハンドオフ実施形態におけるハンドオフ時の例示的な通信経路の図である。
【図１９】  第７のハンドオフ実施形態におけるハンドオフ時の例示的な通信経路の図である。
【図２０】  第８のハンドオフ実施形態におけるハンドオフ時の例示的な通信経路の図である。
【図２１】  第１から第８ハンドオフ実施形態を実行するのに使用される手順のフローチャートである。
【図２２】  第１から第８ハンドオフ実施形態を実行するのに使用される基地局装置の例示的なブロック図である。
【図２３】  第１から第８ハンドオフ実施形態を実行するのに使用される遠隔局装置の例示的なブロック図である。
【図２４】  第１から第８ハンドオフ実施形態を実行するのに使用される基地局コントローラ（ＢＳＣ）装置の例示的なブロック図である。
【符号の説明】
１１０（１１０ａ、１１０ｂ）  遠隔局
１１４  基地局コントローラ（ＢＳＣ）
１１６  移動体交換局（ＭＳＣ）
１１８  公衆交換電話網
１２０  基地局
【図１】
0004795608.tif 000002
【図２】
0004795608.tif 000003
【図３】
0004795608.tif 000004
【図４】
0004795608.tif 000005
【図５】
0004795608.tif 000006
【図６】
0004795608.tif 000007
【図７】
0004795608.tif 000008
【図８】
0004795608.tif 000009
【図９】
0004795608.tif 000010
【図１０】
0004795608.tif 000011
【図１１】
0004795608.tif 000012
【図１２】
0004795608.tif 000013
【図１３】
0004795608.tif 000014
【図１４】
0004795608.tif 000015
【図１５】
0004795608.tif 000016
【図１６】
0004795608.tif 000017
【図１７】
0004795608.tif 000018
【図１８】
0004795608.tif 000019
【図１９】
0004795608.tif 000020
【図２０】
0004795608.tif 000021
【図２１】
0004795608.tif 000022
【図２２】
0004795608.tif 000023
【図２３】
0004795608.tif 000024
【図２４】
0004795608.tif 000025